(57)【要約】  さまざまな超高スループット信号Ｂ（ＶＨＴ−ＳＩＧ−Ｂ）フィールドおよびサービスフィールドのフォーマットを持つフレームを送受信するための方法ならびに装置が提供されている。これらのフォーマットのうちのいくつかは、ワイヤレスローカルエリアネットワーク（ＷＬＡＮ）標準規格に対するＩＥＥＥ８０２．１１ａｃの改正にしたがったものであってもよい。【選択図】    図４
2013534085.tif 000002
【特許請求の範囲】
【請求項１】
ワイヤレス通信のための方法において、
プリアンブル部分とデータ部分とを有するフレームを発生させることと、
前記発生させたフレームを送信することとを含み、
前記プリアンブル部分は、前記データ部分中の有効なデータの長さを示すフィールドを含み、
前記フィールドと前記データ部分との双方が、同じ数のサブキャリアを使用する方法。
【請求項２】
前記フィールドは、超高スループット信号Ｂ（ＶＨＴ−ＳＩＧ−Ｂ）フィールドを含む請求項１記載の方法。
【請求項３】
前記送信することは、チャネルを通して前記フレームを送信することを含み、
前記チャネルの帯域幅は、おおよそ２０ＭＨｚであり、
前記フィールドは、２６個のプリコードされたビットを含む請求項１記載の方法。
【請求項４】
前記送信することは、チャネルを通して前記フレームを送信することを含み、
前記チャネルの帯域幅は、おおよそ８０ＭＨｚであり、
前記フィールドは、４個のブロックを含み、同じ２９個のプリコードされたビットが、各ブロック中で繰り返されている請求項３記載の方法。
【請求項５】
前記送信することは、チャネルを通して前記フレームを送信することを含み、
前記チャネルの帯域幅は、おおよそ２０ＭＨｚであり、
前記サブキャリアの数は５６である請求項１記載の方法。
【請求項６】
前記サブキャリアの数は、前記フィールドと前記データ部分との双方に対して、４本のパイロットサブキャリアと、５２本のデータサブキャリアとを含む請求項５記載の方法。
【請求項７】
前記送信することは、チャネルを通して前記フレームを送信することを含み、
前記チャネルの帯域幅は、おおよそ４０ＭＨｚであり、
前記サブキャリアの数は１１４である請求項１記載の方法。
【請求項８】
前記発生させることは、
前記送信のためにチャネルの帯域幅を決定することと、
前記決定した帯域幅に基づいて、ビットのブロックを発生させることと、
前記フレーム中に前記フィールドを発生させるために、前記決定した帯域幅にしたがった回数、前記ビットのブロックを繰り返すこととを含む請求項１記載の方法。
【請求項９】
前記決定した帯域幅は、おおよそ１６０ＭＨｚであり、
前記ビットのブロックは、２９個のプリコードされたビットを含み、
前記繰り返すことは、前記フィールドが、少なくとも２３２個のプリコードされたビットを含むように、前記ビットのブロックを８回繰り返すことを含む請求項８記載の方法。
【請求項１０】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項１記載の方法。
【請求項１１】
前記フィールドは、おおよそ８００ｎｓの長ガードインターバル（ＧＩ）を含む請求項１記載の方法。
【請求項１２】
ワイヤレス通信のための装置において、
プリアンブル部分とデータ部分とを有するフレームを発生させるように構成されている処理システムと、
前記発生させたフレームを送信するように構成されている送信機とを具備し、
前記プリアンブル部分は、前記データ部分中の有効なデータの長さを示すフィールドを含み、
前記フィールドと前記データ部分との双方が、同じ数のサブキャリアを使用する装置。
【請求項１３】
前記フィールドは、超高スループット信号Ｂ（ＶＨＴ−ＳＩＧ−Ｂ）フィールドを含む請求項１２記載の装置。
【請求項１４】
前記送信機は、チャネルを通して前記フレームを送信するように構成されており、
前記チャネルの帯域幅は、おおよそ２０ＭＨｚであり、
前記フィールドは、２６個のプリコードされたビットを含む請求項１２記載の装置。
【請求項１５】
前記送信機は、チャネルを通して前記フレームを送信するように構成されており、
前記チャネルの帯域幅は、おおよそ８０ＭＨｚであり、
前記フィールドは、４個のブロックを含み、同じ２９個のプリコードされたビットが、各ブロック中で繰り返されている請求項１４記載の装置。
【請求項１６】
前記送信機は、チャネルを通して前記フレームを送信するように構成されており、
前記チャネルの帯域幅は、おおよそ２０ＭＨｚであり、
前記サブキャリアの数は５６である請求項１２記載の装置。
【請求項１７】
前記サブキャリアの数は、前記フィールドと前記データ部分との双方に対して、４本のパイロットサブキャリアと、５２本のデータサブキャリアとを含む請求項１６記載の装置。
【請求項１８】
前記送信機は、チャネルを通して前記フレームを送信するように構成されており、
前記チャネルの帯域幅は、おおよそ４０ＭＨｚであり、
前記サブキャリアの数は１１４である請求項１２記載の装置。
【請求項１９】
前記処理システムは、
前記フレームを送信するために、前記送信機に対するチャネルの帯域幅を決定することと、
前記決定した帯域幅に基づいて、ビットのブロックを発生させることと、
前記フレーム中に前記フィールドを発生させるために、前記決定した帯域幅にしたがった回数、前記ビットのブロックを繰り返すこととにより、前記フレームを発生させるように構成されている請求項１２記載の装置。
【請求項２０】
前記決定した帯域幅は、おおよそ１６０ＭＨｚであり、
前記ビットのブロックは、２９個のプリコードされたビットを含み、
前記繰り返すことは、前記フィールドが、少なくとも２３２個のプリコードされたビットを含むように、前記ビットのブロックを８回繰り返すことを含む請求項１９記載の装置。
【請求項２１】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項１２記載の装置。
【請求項２２】
前記フィールドは、おおよそ８００ｎｓの長ガードインターバル（ＧＩ）を含む請求項１２記載の装置。
【請求項２３】
ワイヤレス通信のための装置において、
プリアンブル部分とデータ部分とを有するフレームを発生させる手段と、
前記発生させたフレームを送信する手段とを具備し、
前記プリアンブル部分は、前記データ部分中の有効なデータの長さを示すフィールドを含み、
前記フィールドと前記データ部分との双方が、同じ数のサブキャリアを使用する装置。
【請求項２４】
前記フィールドは、超高スループット信号Ｂ（ＶＨＴ−ＳＩＧ−Ｂ）フィールドを含む請求項２３記載の装置。
【請求項２５】
前記送信する手段は、チャネルを通して前記フレームを送信するように構成されており、
前記チャネルの帯域幅は、おおよそ２０ＭＨｚであり、
前記フィールドは、２６個のプリコードされたビットを含む請求項２３記載の装置。
【請求項２６】
前記送信する手段は、チャネルを通して前記フレームを送信するように構成されており、
前記チャネルの帯域幅は、おおよそ８０ＭＨｚであり、
前記フィールドは、４個のブロックを含み、同じ２９個のプリコードされたビットが、各ブロック中で繰り返されている請求項２５記載の装置。
【請求項２７】
前記送信する手段は、チャネルを通して前記フレームを送信するように構成されており、
前記チャネルの帯域幅は、おおよそ２０ＭＨｚであり、
前記サブキャリアの数は５６である請求項２３記載の装置。
【請求項２８】
前記サブキャリアの数は、前記フィールドと前記データ部分との双方に対して、４本のパイロットサブキャリアと、５２本のデータサブキャリアとを含む請求項２７記載の装置。
【請求項２９】
前記送信する手段は、チャネルを通して前記フレームを送信するように構成されており、
前記チャネルの帯域幅は、おおよそ４０ＭＨｚであり、
前記サブキャリアの数は１１４である請求項２３記載の装置。
【請求項３０】
前記発生させる手段は、
前記フレームを送信するために、前記送信する手段に対するチャネルの帯域幅を決定し、
前記決定した帯域幅に基づいて、ビットのブロックを発生させ、
前記フレーム中に前記フィールドを発生させるために、前記決定した帯域幅にしたがった回数、前記ビットのブロックを繰り返すように構成されている請求項２３記載の装置。
【請求項３１】
前記決定した帯域幅は、おおよそ１６０ＭＨｚであり、
前記ビットのブロックは、２９個のプリコードされたビットを含み、
前記繰り返すことは、前記フィールドが、少なくとも２３２個のプリコードされたビットを含むように、前記ビットのブロックを８回繰り返すことを含む請求項３０記載の装置。
【請求項３２】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項２３記載の装置。
【請求項３３】
前記フィールドは、おおよそ８００ｎｓの長ガードインターバル（ＧＩ）を含む請求項２３記載の装置。
【請求項３４】
命令を含むコンピュータ読取可能媒体を具備する、ワイヤレス通信のためのコンピュータプログラムプロダクトにおいて、
前記命令は、
プリアンブル部分とデータ部分とを有するフレームを発生させ、
前記発生させたフレームを送信するように実行可能であり、
前記プリアンブル部分は、前記データ部分中の有効なデータの長さを示すフィールドを含み、
前記フィールドと前記データ部分との双方が、同じ数のサブキャリアを使用するコンピュータプログラムプロダクト。
【請求項３５】
前記フィールドは、超高スループット信号Ｂ（ＶＨＴ−ＳＩＧ−Ｂ）フィールドを含む請求項３４記載のコンピュータプログラムプロダクト。
【請求項３６】
前記命令は、チャネルを通して前記フレームを送信することにより、前記発生させたフレームを送信するように実行可能であり、
前記チャネルの帯域幅は、おおよそ２０ＭＨｚであり、
前記フィールドは、２６個のプリコードされたビットを含む請求項３４記載のコンピュータプログラムプロダクト。
【請求項３７】
前記命令は、チャネルを通して前記フレームを送信することにより、前記発生させたフレームを送信するように実行可能であり、
前記チャネルの帯域幅は、おおよそ８０ＭＨｚであり、
前記フィールドは、４個のブロックを含み、同じ２９個のプリコードされたビットが、各ブロック中で繰り返されている請求項３６記載のコンピュータプログラムプロダクト。
【請求項３８】
前記命令は、チャネルを通して前記フレームを送信することにより、前記発生させたフレームを送信するように実行可能であり、
前記チャネルの帯域幅は、おおよそ２０ＭＨｚであり、
前記サブキャリアの数は５６である請求項３４記載のコンピュータプログラムプロダクト。
【請求項３９】
前記サブキャリアの数は、前記フィールドと前記データ部分との双方に対して、４本のパイロットサブキャリアと、５２本のデータサブキャリアとを含む請求項３８記載のコンピュータプログラムプロダクト。
【請求項４０】
前記命令は、チャネルを通して前記フレームを送信することにより、前記発生させたフレームを送信するように実行可能であり、
前記チャネルの帯域幅は、おおよそ４０ＭＨｚであり、
前記サブキャリアの数は１１４である請求項３４記載のコンピュータプログラムプロダクト。
【請求項４１】
前記命令は、
前記フレームを送信するためにチャネルの帯域幅を決定することと、
前記決定した帯域幅に基づいて、ビットのブロックを発生させることと、
前記フレーム中に前記フィールドを発生させるために、前記決定した帯域幅にしたがった回数、前記ビットのブロックを繰り返すこととにより、前記フレームを発生させるように実行可能である請求項３４記載のコンピュータプログラムプロダクト。
【請求項４２】
前記決定した帯域幅は、おおよそ１６０ＭＨｚであり、
前記ビットのブロックは、２９個のプリコードされたビットを含み、
前記繰り返すことは、前記フィールドが、少なくとも２３２個のプリコードされたビットを含むように、前記ビットのブロックを８回繰り返すことを含む請求項４１記載のコンピュータプログラムプロダクト。
【請求項４３】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項３４記載のコンピュータプログラムプロダクト。
【請求項４４】
前記フィールドは、おおよそ８００ｎｓの長ガードインターバル（ＧＩ）を含む請求項３４記載のコンピュータプログラムプロダクト。
【請求項４５】
ワイヤレス通信のための方法において、
プリアンブル部分とデータ部分とを有するフレームを受信し、前記プリアンブル部分は、前記データ部分中の有効なデータの長さを示すフィールドを含み、前記フィールドと前記データ部分との双方が、同じ数のサブキャリアを使用することと、
前記フィールドに基づいて、前記データ部分をデコードすることとを含む方法。
【請求項４６】
前記フィールドは、超高スループット信号Ｂ（ＶＨＴ−ＳＩＧ−Ｂ）フィールドを含む請求項４５記載の方法。
【請求項４７】
前記受信することは、チャネルを通して前記フレームを受信することを含み、
前記チャネルの帯域幅は、おおよそ２０ＭＨｚであり、
前記フィールドは、２６個のプリコードされたビットを含む請求項４５記載の方法。
【請求項４８】
前記受信することは、チャネルを通して前記フレームを受信することを含み、
前記チャネルの帯域幅は、おおよそ４０ＭＨｚであり、
前記フィールドは、２個のブロックを含み、同じ２７個のプリコードされたビットが、各ブロック中で繰り返されている請求項４７記載の方法。
【請求項４９】
前記受信することは、チャネルを通して前記フレームを受信することを含み、
前記チャネルの帯域幅は、おおよそ２０ＭＨｚであり、
前記サブキャリアの数は５６である請求項４５記載の方法。
【請求項５０】
前記サブキャリアの数は、前記フィールドと前記データ部分との双方に対して、４本のパイロットサブキャリアと、５２本のデータサブキャリアとを含む請求項４９記載の方法。
【請求項５１】
前記受信することは、チャネルを通して前記フレームを受信することを含み、
前記チャネルの帯域幅は、おおよそ８０ＭＨｚであり、
前記サブキャリアの数は２４２である請求項４５記載の方法。
【請求項５２】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項４５記載の方法。
【請求項５３】
前記有効なデータの長さに基づいて、前記有効なデータの終わりに達した後、前記デコードを止めることをさらに含む請求項４５記載の方法。
【請求項５４】
前記フィールドは、おおよそ８００ｎｓの長ガードインターバル（ＧＩ）を含む請求項４５記載の方法。
【請求項５５】
ワイヤレス通信のための装置において、
プリアンブル部分とデータ部分とを有するフレームを受信するように構成されており、前記プリアンブル部分は、前記データ部分中の有効なデータの長さを示すフィールドを含み、前記フィールドと前記データ部分との双方が、同じ数のサブキャリアを使用する受信機と、
前記フィールドに基づいて、前記データ部分をデコードするように構成されている処理システムとを具備する装置。
【請求項５６】
前記フィールドは、超高スループット信号Ｂ（ＶＨＴ−ＳＩＧ−Ｂ）フィールドを含む請求項５５記載の装置。
【請求項５７】
前記受信機は、チャネルを通して前記フレームを受信するように構成されており、
前記チャネルの帯域幅は、おおよそ２０ＭＨｚであり、
前記フィールドは、２６個のプリコードされたビットを含む請求項５５記載の装置。
【請求項５８】
前記受信機は、チャネルを通して前記フレームを受信するように構成されており、
前記チャネルの帯域幅は、おおよそ４０ＭＨｚであり、
前記フィールドは、２個のブロックを含み、同じ２７個のプリコードされたビットが、各ブロック中で繰り返されている請求項５７記載の装置。
【請求項５９】
前記受信機は、チャネルを通して前記フレームを受信するように構成されており、
前記チャネルの帯域幅は、おおよそ２０ＭＨｚであり、
前記サブキャリアの数は５６である請求項５５記載の装置。
【請求項６０】
前記サブキャリアの数は、前記フィールドと前記データ部分との双方に対して、４本のパイロットサブキャリアと、５２本のデータサブキャリアとを含む請求項５９記載の装置。
【請求項６１】
前記受信機は、チャネルを通して前記フレームを受信するように構成されており、
前記チャネルの帯域幅は、おおよそ８０ＭＨｚであり、
前記サブキャリアの数は２４２である請求項５５記載の装置。
【請求項６２】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項５５記載の装置。
【請求項６３】
前記処理システムは、前記有効なデータの長さに基づいて、前記有効なデータの終わりに達した後、前記デコードを止めるように構成されている請求項５５記載の装置。
【請求項６４】
前記フィールドは、おおよそ８００ｎｓの長ガードインターバル（ＧＩ）を含む請求項５５記載の装置。
【請求項６５】
ワイヤレス通信のための装置において、
プリアンブル部分とデータ部分とを有するフレームを受信し、前記プリアンブル部分は、前記データ部分中の有効なデータの長さを示すフィールドを含み、前記フィールドと前記データ部分との双方が、同じ数のサブキャリアを使用する手段と、
前記フィールドに基づいて、前記データ部分をデコードする手段とを具備する装置。
【請求項６６】
前記フィールドは、超高スループット信号Ｂ（ＶＨＴ−ＳＩＧ−Ｂ）フィールドを含む請求項６５記載の装置。
【請求項６７】
前記受信する手段は、チャネルを通して前記フレームを受信するように構成されており、
前記チャネルの帯域幅は、おおよそ２０ＭＨｚであり、
前記フィールドは、２６個のプリコードされたビットを含む請求項６５記載の装置。
【請求項６８】
前記受信する手段は、チャネルを通して前記フレームを受信するように構成されており、
前記チャネルの帯域幅は、おおよそ４０ＭＨｚであり、
前記フィールドは、２個のブロックを含み、同じ２７個のプリコードされたビットが、各ブロック中で繰り返されている請求項６７記載の装置。
【請求項６９】
前記受信する手段は、チャネルを通して前記フレームを受信するように構成されており、
前記チャネルの帯域幅は、おおよそ２０ＭＨｚであり、
前記サブキャリアの数は５６である請求項６５記載の装置。
【請求項７０】
前記サブキャリアの数は、前記フィールドと前記データ部分との双方に対して、４本のパイロットサブキャリアと、５２本のデータサブキャリアとを含む請求項６９記載の装置。
【請求項７１】
前記受信する手段は、チャネルを通して前記フレームを受信するように構成されており、
前記チャネルの帯域幅は、おおよそ８０ＭＨｚであり、
前記サブキャリアの数は２４２である請求項６５記載の装置。
【請求項７２】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項６５記載の装置。
【請求項７３】
前記デコードする手段は、前記有効なデータの長さに基づいて、前記有効なデータの終わりに達した後、前記デコードを止めるように構成されている請求項６５記載の装置。
【請求項７４】
前記フィールドは、おおよそ８００ｎｓの長ガードインターバル（ＧＩ）を含む請求項６５記載の装置。
【請求項７５】
命令を含むコンピュータ読取可能媒体を具備する、ワイヤレス通信のためのコンピュータプログラムプロダクトにおいて、
前記命令は、
プリアンブル部分とデータ部分とを有するフレームを受信し、前記プリアンブル部分は、前記データ部分中の有効なデータの長さを示すフィールドを含み、前記フィールドと前記データ部分との双方が、同じ数のサブキャリアを使用し、
前記フィールドに基づいて、前記データ部分をデコードするように実行可能であるコンピュータプログラムプロダクト。
【請求項７６】
前記フィールドは、超高スループット信号Ｂ（ＶＨＴ−ＳＩＧ−Ｂ）フィールドを含む請求項７５記載のコンピュータプログラムプロダクト。
【請求項７７】
前記受信することは、チャネルを通して前記フレームを受信することを含み、
前記チャネルの帯域幅は、おおよそ２０ＭＨｚであり、
前記フィールドは、２６個のプリコードされたビットを含む請求項７５記載のコンピュータプログラムプロダクト。
【請求項７８】
前記受信することは、チャネルを通して前記フレームを受信することを含み、
前記チャネルの帯域幅は、おおよそ４０ＭＨｚであり、
前記フィールドは、２個のブロックを含み、同じ２７個のプリコードされたビットが、各ブロック中で繰り返されている請求項７７記載のコンピュータプログラムプロダクト。
【請求項７９】
前記受信することは、チャネルを通して前記フレームを受信することを含み、
前記チャネルの帯域幅は、おおよそ２０ＭＨｚであり、
前記サブキャリアの数は５６である請求項７５記載のコンピュータプログラムプロダクト。
【請求項８０】
前記サブキャリアの数は、前記フィールドと前記データ部分との双方に対して、４本のパイロットサブキャリアと、５２本のデータサブキャリアとを含む請求項７９記載のコンピュータプログラムプロダクト。
【請求項８１】
前記受信することは、チャネルを通して前記フレームを受信することを含み、
前記チャネルの帯域幅は、おおよそ８０ＭＨｚであり、
前記サブキャリアの数は２４２である請求項７５記載のコンピュータプログラムプロダクト。
【請求項８２】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項７５記載のコンピュータプログラムプロダクト。
【請求項８３】
前記有効なデータの長さに基づいて、前記有効なデータの終わりに達した後、前記デコードを止めることをさらに含む請求項７５記載のコンピュータプログラムプロダクト。
【請求項８４】
前記フィールドは、おおよそ８００ｎｓの長ガードインターバル（ＧＩ）を含む請求項７５記載のコンピュータプログラムプロダクト。
【請求項８５】
ワイヤレス通信のための方法において、
プリアンブル部分とデータ部分とを有するフレームを発生させることと、
チャネルを介して、前記発生させたフレームを送信することとを含み、
前記プリアンブル部分は、前記データ部分中の有効なデータの長さを示すフィールドを含み、
前記発生させることは、
前記送信のために前記チャネルの帯域幅を決定することと、
前記決定した帯域幅に基づいて、ビットのブロックを発生させることと、
前記フレーム中に前記フィールドを発生させるために、前記決定した帯域幅にしたがった回数、前記ビットのブロックを繰り返すこととを含む方法。
【請求項８６】
前記フィールドは、超高スループット信号Ｂ（ＶＨＴ−ＳＩＧ−Ｂ）フィールドを含む請求項８５記載の方法。
【請求項８７】
前記チャネルの帯域幅は、おおよそ４０ＭＨｚであり、
前記ビットのブロックは、２７個のプリコードされたビットを含み、
前記繰り返すことは、前記フィールドが、少なくとも５４個のプリコードされたビットを含むように、前記ビットのブロックを２回繰り返すことを含む請求項８５記載の方法。
【請求項８８】
前記チャネルの帯域幅は、おおよそ８０ＭＨｚであり、
前記ビットのブロックは、２９個のプリコードされたビットを含み、
前記繰り返すことは、前記フィールドが、少なくとも１２６個のプリコードされたビットを含むように、前記ビットのブロックを４回繰り返すことを含む請求項８５記載の方法。
【請求項８９】
前記チャネルの帯域幅は、おおよそ１６０ＭＨｚであり、
前記フィールドは、おおよそ４８４本のサブキャリアを使用する請求項８５記載の方法。
【請求項９０】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項８５記載の方法。
【請求項９１】
前記フィールドは、おおよそ８００ｎｓの長ガードインターバル（ＧＩ）を含む請求項８５記載の方法。
【請求項９２】
ワイヤレス通信のための装置において、
プリアンブル部分とデータ部分とを有するフレームを発生させるように構成されている処理システムと、
チャネルを介して、前記発生させたフレームを送信するように構成されている送信機とを具備し、
前記プリアンブル部分は、前記データ部分中の有効なデータの長さを示すフィールドを含み、
前記処理システムは、
前記フレームを送信するために、前記送信機に対する前記チャネルの帯域幅を決定することと、
前記決定した帯域幅に基づいて、ビットのブロックを発生させることと、
前記フレーム中に前記フィールドを発生させるために、前記決定した帯域幅にしたがった回数、前記ビットのブロックを繰り返すこととにより、前記フレームを発生させるように構成されている装置。
【請求項９３】
前記フィールドは、超高スループット信号Ｂ（ＶＨＴ−ＳＩＧ−Ｂ）フィールドを含む請求項９２記載の装置。
【請求項９４】
前記チャネルの帯域幅は、おおよそ４０ＭＨｚであり、
前記ビットのブロックは、２７個のプリコードされたビットを含み、
前記繰り返すことは、前記フィールドが、少なくとも５４個のプリコードされたビットを含むように、前記ビットのブロックを２回繰り返すことを含む請求項９２記載の装置。
【請求項９５】
前記チャネルの帯域幅は、おおよそ８０ＭＨｚであり、
前記ビットのブロックは、２９個のプリコードされたビットを含み、
前記繰り返すことは、前記フィールドが、少なくとも１２６個のプリコードされたビットを含むように、前記ビットのブロックを４回繰り返すことを含む請求項９２記載の装置。
【請求項９６】
前記チャネルの帯域幅は、おおよそ１６０ＭＨｚであり、
前記フィールドは、おおよそ４８４本のサブキャリアを使用する請求項９２記載の装置。
【請求項９７】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項９２記載の装置。
【請求項９８】
前記フィールドは、おおよそ８００ｎｓの長ガードインターバル（ＧＩ）を含む請求項９２記載の装置。
【請求項９９】
ワイヤレス通信のための装置において、
プリアンブル部分とデータ部分とを有するフレームを発生させる手段と、
チャネルを介して、前記発生させたフレームを送信する手段とを具備し、
前記プリアンブル部分は、前記データ部分中の有効なデータの長さを示すフィールドを含み、
前記発生させる手段は、
前記フレームを送信するために前記チャネルの帯域幅を決定し、
前記決定した帯域幅に基づいて、ビットのブロックを発生させ、
前記フレーム中に前記フィールドを発生させるために、前記決定した帯域幅にしたがった回数、前記ビットのブロックを繰り返すように構成されている装置。
【請求項１００】
前記フィールドは、超高スループット信号Ｂ（ＶＨＴ−ＳＩＧ−Ｂ）フィールドを含む
請求項９９記載の装置。
【請求項１０１】
前記チャネルの帯域幅は、おおよそ４０ＭＨｚであり、
前記ビットのブロックは、２７個のプリコードされたビットを含み、
前記発生させる手段は、前記フィールドが、少なくとも５４個のプリコードされたビットを含むように、前記ビットのブロックを２回繰り返すことにより、前記ビットのブロックを繰り返すように構成されている請求項９９記載の装置。
【請求項１０２】
前記チャネルの帯域幅は、おおよそ８０ＭＨｚであり、
前記ビットのブロックは、２９個のプリコードされたビットを含み、
前記発生させる手段は、前記フィールドが、少なくとも１２６個のプリコードされたビットを含むように、前記ビットのブロックを４回繰り返すことにより、前記ビットのブロックを繰り返すように構成されている請求項９９記載の装置。
【請求項１０３】
前記チャネルの帯域幅は、おおよそ１６０ＭＨｚであり、
前記フィールドは、おおよそ４８４本のサブキャリアを使用する請求項９９記載の装置。
【請求項１０４】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項９９記載の装置。
【請求項１０５】
前記フィールドは、おおよそ８００ｎｓの長ガードインターバル（ＧＩ）を含む請求項９９記載の装置。
【請求項１０６】
命令を含むコンピュータ読取可能媒体を具備する、ワイヤレス通信のためのコンピュータプログラムプロダクトにおいて、
前記命令は、
プリアンブル部分とデータ部分とを有するフレームを発生させ、
チャネルを介して、前記発生させたフレームを送信するように実行可能であり、
前記プリアンブル部分は、前記データ部分中の有効なデータの長さを示すフィールドを含み、
前記命令は、
前記フレームを送信するために前記チャネルの帯域幅を決定することと、
前記決定した帯域幅に基づいて、ビットのブロックを発生させることと、
前記フレーム中に前記フィールドを発生させるために、前記決定した帯域幅にしたがった回数、前記ビットのブロックを繰り返すこととにより、前記フレームを発生させるように実行可能であるコンピュータプログラムプロダクト。
【請求項１０７】
前記フィールドは、超高スループット信号Ｂ（ＶＨＴ−ＳＩＧ−Ｂ）フィールドを含む請求項１０６記載のコンピュータプログラムプロダクト。
【請求項１０８】
前記チャネルの帯域幅は、おおよそ４０ＭＨｚであり、
前記ビットのブロックは、２７個のプリコードされたビットを含み、
前記繰り返すことは、前記フィールドが、少なくとも５４個のプリコードされたビットを含むように、前記ビットのブロックを２回繰り返すことを含む請求項１０６記載のコンピュータプログラムプロダクト。
【請求項１０９】
前記チャネルの帯域幅は、おおよそ８０ＭＨｚであり、
前記ビットのブロックは、２９個のプリコードされたビットを含み、
前記繰り返すことは、前記フィールドが、少なくとも１２６個のプリコードされたビットを含むように、前記ビットのブロックを４回繰り返すことを含む請求項１０６記載のコンピュータプログラムプロダクト。
【請求項１１０】
前記チャネルの帯域幅は、おおよそ１６０ＭＨｚであり、
前記フィールドは、おおよそ４８４本のサブキャリアを使用する請求項１０６記載のコンピュータプログラムプロダクト。
【請求項１１１】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項１０６記載のコンピュータプログラムプロダクト。
【請求項１１２】
前記フィールドは、おおよそ８００ｎｓの長ガードインターバル（ＧＩ）を含む請求項１０６記載のコンピュータプログラムプロダクト。
【請求項１１３】
ワイヤレス通信のための方法において、
プリアンブル部分とデータ部分とを有するフレームを受信し、前記プリアンブル部分は、前記データ部分中の有効なデータの長さを示すフィールドを含み、前記フィールドは、ブロックのうちの１つのブロックのビットが、前記ブロックのそれぞれにおいて繰り返されているような、複数の複製されたブロックを含むことと、
前記フィールドに基づいて、前記データ部分をデコードすることとを含む方法。
【請求項１１４】
前記フィールドは、超高スループット信号Ｂ（ＶＨＴ−ＳＩＧ−Ｂ）フィールドを含む請求項１１３記載の方法。
【請求項１１５】
前記受信することは、チャネルを通して前記フレームを受信することを含み、
前記チャネルの帯域幅は、おおよそ８０ＭＨｚであり、
前記フィールドは、４個のブロックを含み、同じ２９個のプリコードされたビットが、前記ブロックのそれぞれにおいて繰り返されている請求項１１３記載の方法。
【請求項１１６】
前記受信することは、チャネルを通して前記フレームを受信することを含み、
前記チャネルの帯域幅は、おおよそ１６０ＭＨｚであり、
前記フィールドは、８個のブロックを含み、同じ２９個のプリコードされたビットが、前記ブロックのそれぞれにおいて繰り返されている請求項１１３記載の方法。
【請求項１１７】
前記受信することは、チャネルを通して前記フレームを受信することを含み、
前記チャネルの帯域幅は、おおよそ４０ＭＨｚであり、
前記フィールドは、おおよそ１１４本のサブキャリアを使用する請求項１１３記載の方法。
【請求項１１８】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項１１３記載の方法。
【請求項１１９】
前記有効なデータの長さに基づいて、前記有効なデータの終わりに達した後、前記デコードを止めることをさらに含む請求項１１３記載の方法。
【請求項１２０】
前記フィールドは、おおよそ８００ｎｓの長ガードインターバル（ＧＩ）を含む請求項１１３記載の方法。
【請求項１２１】
ワイヤレス通信のための装置において、
プリアンブル部分とデータ部分とを有するフレームを受信するように構成されており、前記プリアンブル部分は、前記データ部分中の有効なデータの長さを示すフィールドを含み、前記フィールドは、ブロックのうちの１つのブロックのビットが、前記ブロックのそれぞれにおいて繰り返されているような、複数の複製されたブロックを含む受信機と、
前記フィールドに基づいて、前記データ部分をデコードするように構成されている処理システムとを具備する装置。
【請求項１２２】
前記フィールドは、超高スループット信号Ｂ（ＶＨＴ−ＳＩＧ−Ｂ）フィールドを含む請求項１２１記載の装置。
【請求項１２３】
前記受信機は、チャネルを通して前記フレームを受信するように構成されており、
前記チャネルの帯域幅は、おおよそ８０ＭＨｚであり、
前記フィールドは、４個のブロックを含み、同じ２９個のプリコードされたビットが、前記ブロックのそれぞれにおいて繰り返されている請求項１２１記載の装置。
【請求項１２４】
前記受信機は、チャネルを通して前記フレームを受信するように構成されており、
前記チャネルの帯域幅は、おおよそ１６０ＭＨｚであり、
前記フィールドは、８個のブロックを含み、同じ２９個のプリコードされたビットが、前記ブロックのそれぞれにおいて繰り返されている請求項１２１記載の装置。
【請求項１２５】
前記受信機は、チャネルを通して前記フレームを受信するように構成されており、
前記チャネルの帯域幅は、おおよそ４０ＭＨｚであり、
前記フィールドは、おおよそ１１４本のサブキャリアを使用する請求項１２１記載の装置。
【請求項１２６】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項１２１記載の装置。
【請求項１２７】
前記処理システムは、前記有効なデータの長さに基づいて、前記有効なデータの終わりに達した後、前記デコードを止めるように構成されている請求項１２１記載の装置。
【請求項１２８】
前記フィールドは、おおよそ８００ｎｓの長ガードインターバル（ＧＩ）を含む請求項１２１記載の装置。
【請求項１２９】
ワイヤレス通信のための装置において、
プリアンブル部分とデータ部分とを有するフレームを受信し、前記プリアンブル部分は、前記データ部分中の有効なデータの長さを示すフィールドを含み、前記フィールドは、ブロックのうちの１つのブロックのビットが、前記ブロックのそれぞれにおいて繰り返されているような、複数の複製されたブロックを含む手段と、
前記フィールドに基づいて、前記データ部分をデコードする手段とを具備する装置。
【請求項１３０】
前記フィールドは、超高スループット信号Ｂ（ＶＨＴ−ＳＩＧ−Ｂ）フィールドを含む請求項１２９記載の装置。
【請求項１３１】
前記受信することは、チャネルを通して前記フレームを受信することを含み、
前記チャネルの帯域幅は、おおよそ８０ＭＨｚであり、
前記フィールドは、４個のブロックを含み、同じ２９個のプリコードされたビットが、前記ブロックのそれぞれにおいて繰り返されている請求項１２９記載の装置。
【請求項１３２】
前記受信することは、チャネルを通して前記フレームを受信することを含み、
前記チャネルの帯域幅は、おおよそ１６０ＭＨｚであり、
前記フィールドは、８個のブロックを含み、同じ２９個のプリコードされたビットが、前記ブロックのそれぞれにおいて繰り返されている請求項１２９記載の装置。
【請求項１３３】
前記受信することは、チャネルを通して前記フレームを受信することを含み、
前記チャネルの帯域幅は、おおよそ４０ＭＨｚであり、
前記フィールドは、おおよそ１１４本のサブキャリアを使用する請求項１２９記載の装置。
【請求項１３４】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項１２９記載の装置。
【請求項１３５】
前記デコードする手段は、前記有効なデータの長さに基づいて、前記有効なデータの終わりに達した後、前記デコードを止めるように構成されている請求項１２９記載の装置。
【請求項１３６】
前記フィールドは、おおよそ８００ｎｓの長ガードインターバル（ＧＩ）を含む請求項１２９記載の装置。
【請求項１３７】
命令を含むコンピュータ読取可能媒体を具備する、ワイヤレス通信のためのコンピュータプログラムプロダクトにおいて、
前記命令は、
プリアンブル部分とデータ部分とを有するフレームを受信し、前記プリアンブル部分は、前記データ部分中の有効なデータの長さを示すフィールドを含み、前記フィールドは、ブロックのうちの１つのブロックのビットが、前記ブロックのそれぞれにおいて繰り返されているような、複数の複製されたブロックを含み、
前記フィールドに基づいて、前記データ部分をデコードするように実行可能であるコンピュータプログラムプロダクト。
【請求項１３８】
前記フィールドは、超高スループット信号Ｂ（ＶＨＴ−ＳＩＧ−Ｂ）フィールドを含む請求項１３７記載のコンピュータプログラムプロダクト。
【請求項１３９】
前記命令は、チャネルを通して前記フレームを受信することにより、前記フレームを受信するように実行可能であり、
前記チャネルの帯域幅は、おおよそ８０ＭＨｚであり、
前記フィールドは、４個のブロックを含み、同じ２９個のプリコードされたビットが、前記ブロックのそれぞれにおいて繰り返されている請求項１３７記載のコンピュータプログラムプロダクト。
【請求項１４０】
前記命令は、チャネルを通して前記フレームを受信することにより、前記フレームを受信するように実行可能であり、
前記チャネルの帯域幅は、おおよそ１６０ＭＨｚであり、
前記フィールドは、８個のブロックを含み、同じ２９個のプリコードされたビットが、前記ブロックのそれぞれにおいて繰り返されている請求項１３７記載のコンピュータプログラムプロダクト。
【請求項１４１】
前記命令は、チャネルを通して前記フレームを受信することにより、前記フレームを受信するように実行可能であり、
前記チャネルの帯域幅は、おおよそ４０ＭＨｚであり、
前記フィールドは、おおよそ１１４本のサブキャリアを使用する請求項１３７記載のコンピュータプログラムプロダクト。
【請求項１４２】
前記データ部分は、スクランブラの初期化のために使用される別のフィールドを含み、
前記別のフィールドは、前記有効なデータの長さを示す前記フィールドに関係付けられた巡回冗長検査（ＣＲＣ）を含む請求項１３７記載のコンピュータプログラムプロダクト。
【請求項１４３】
前記有効なデータの長さに基づいて、前記有効なデータの終わりに達した後、前記デコードを止めるように実行可能である命令をさらに含む請求項１３７記載のコンピュータプログラムプロダクト。
【請求項１４４】
前記フィールドは、おおよそ８００ｎｓの長ガードインターバル（ＧＩ）を含む請求項１３７記載のコンピュータプログラムプロダクト。
【発明の詳細な説明】
【関連出願に対する相互参照】
【０００１】
本出願は、２０１０年６月２日に出願され、“８０２．１１ＡＣ標準規格におけるＶＨＴ−ＳＩＧ−Ｂのフォーマット”と題され、参照によりここに組み込まれている米国仮特許出願シリアル番号第６１／３５０，８１７号の利益を主張する。
【分野】
【０００２】
本開示のある態様は、一般的にワイヤレス通信に関し、さらに詳細には、超高スループット（ＶＨＴ）ワイヤレス通信のためのＶＨＴ−ＳＩＧ−Ｂフィールドおよびサービスフィールドのフォーマッティングに関する。
【背景】
【０００３】
ワイヤレス通信システムに対して要望される帯域幅要求の増加の問題を取り扱うために、チャネルリソースを共有することにより、複数のユーザ端末が単一のアクセスポイントと通信することが可能になる一方で、高データスループットを達成するように、異なるスキームが開発されている。複数入力複数出力（ＭＩＭＯ）技術は、次世代通信システムのための人気のある技術として近年登場してきた、このような１つのアプローチを表している。ＭＩＭＯ技術は、米国電気電子学会（ＩＥＥＥ）８０２．１１標準規格のような、いくつかの新興のワイヤレス通信標準規格において採用されている。ＩＥＥＥ８０２．１１は、短距離通信（例えば、数十メートルから数百メートル）のためにＩＥＥＥ８０２．１１委員会により開発された１組のワイヤレスローカルエリアネットワーク（ＷＬＡＮ）エアインターフェース標準規格を示す。
【０００４】
ＭＩＭＯシステムは、データ送信のために、複数（ＮT本）の送信アンテナと複数（ＮR本）の受信アンテナとを用いる。ＮT本の送信アンテナとＮR本の受信アンテナとにより形成されるＭＩＭＯチャネルは、ＮS個の独立したチャネルに分解でき、これは、空間チャネルとも呼ばれ、ここで、ＮS ≦ ｍｉｎ｛ＮT，ＮR｝である。ＮS個の独立したチャネルのそれぞれは、次元に対応する。ＭＩＭＯシステムは、複数の送信アンテナおよび受信アンテナにより生成される追加の次元を利用する場合に、改善された性能（例えば、より高いスループットおよび／またはより大きな信頼性）を提供できる。
【０００５】
単一のアクセスポイント（ＡＰ）と複数のユーザ局（ＳＴＡ）とを持つワイヤレスネットワークでは、アップリンク方向およびダウンリンク方向の双方において、異なる局に向けて、複数のチャネル上で、並行した送信が起こることがある。このようなシステムには、多くの課題が存在する。
【概要】
【０００６】
本開示のある態様は、ワイヤレス通信のための方法を提供する。方法は、一般的に、プリアンブル部分とデータ部分とを有するフレームを発生させることと、発生させたフレームを送信することとを含み、プリアンブル部分は、データ部分中の有効なデータの長さを示すフィールドを含み、フィールドとデータ部分の双方が、同じ数のサブキャリアを使用する。
【０００７】
本開示のある態様は、ワイヤレス通信のための装置を提供する。装置は、一般的に、プリアンブル部分とデータ部分とを有するフレームを発生させるように構成されている処理システムと、発生させたフレームを送信するように構成されている送信機とを具備し、プリアンブル部分は、データ部分中の有効なデータの長さを示すフィールドを含み、フィールドとデータ部分の双方が、同じ数のサブキャリアを使用する。
【０００８】
本開示のある態様は、ワイヤレス通信のための装置を提供する。装置は、一般的に、プリアンブル部分とデータ部分とを有するフレームを発生させる手段と、発生させたフレームを送信する手段とを具備し、プリアンブル部分は、データ部分中の有効なデータの長さを示すフィールドを含み、フィールドとデータ部分の双方が、同じ数のサブキャリアを使用する。
【０００９】
本開示のある態様は、ワイヤレス通信のためのコンピュータプログラムプロダクトを提供する。コンピュータプログラムプロダクトは、一般的に、プリアンブル部分とデータ部分とを有するフレームを発生させ、発生させたフレームを送信するように実行可能な命令を有するコンピュータ読取可能媒体を具備し、プリアンブル部分は、データ部分中の有効なデータの長さを示すフィールドを含み、フィールドとデータ部分の双方が、同じ数のサブキャリアを使用する。
【００１０】
本開示のある態様は、ワイヤレス通信のための方法を提供する。方法は、一般的に、プリアンブル部分とデータ部分とを有するフレームを受信し、プリアンブル部分は、データ部分中の有効なデータの長さを示すフィールドを含み、フィールドとデータ部分の双方が、同じ数のサブキャリアを使用することと、フィールドに基づいて、データ部分をデコードすることとを含む。
【００１１】
本開示のある態様は、ワイヤレス通信のための装置を提供する。装置は、一般的に、プリアンブル部分とデータ部分とを有するフレームを受信するように構成されており、プリアンブル部分は、データ部分中の有効なデータの長さを示すフィールドを含み、フィールドとデータ部分の双方が、同じ数のサブキャリアを使用する受信機と、フィールドに基づいて、データ部分をデコードするように構成されている処理システムとを具備する。
【００１２】
本開示のある態様は、ワイヤレス通信のための装置を提供する。装置は、一般的に、プリアンブル部分が、データ部分中の有効なデータの長さを示すフィールドを含み、フィールドとデータ部分の双方が、同じ数のサブキャリアを使用する、プリアンブル部分とデータ部分とを有するフレームを受信する手段と、フィールドに基づいて、データ部分をデコードする手段とを具備する。
【００１３】
本開示のある態様は、ワイヤレス通信のためのコンピュータプログラムプロダクトを提供する。コンピュータプログラムプロダクトは、一般的に、プリアンブル部分が、データ部分中の有効なデータの長さを示すフィールドを含み、フィールドとデータ部分の双方が、同じ数のサブキャリアを使用する、プリアンブル部分とデータ部分とを有するフレームを受信し、フィールドに基づいて、データ部分をデコードするように実行可能である命令を有するコンピュータ読取可能媒体を具備する。
【００１４】
本開示のある態様は、ワイヤレス通信のための方法を提供する。方法は、一般的に、プリアンブル部分とデータ部分とを有するフレームを発生させることと、チャネルを介して、発生させたフレームを送信することとを含み、プリアンブル部分は、データ部分中の有効なデータの長さを示すフィールドを含む。フレームを発生させることは、典型的に、送信のためにチャネルの帯域幅を決定することと、決定した帯域幅に基づいて、ビットのブロックを発生させることと、フレーム中にフィールドを発生させるために、決定した帯域幅にしたがった回数、ビットのブロックを繰り返すこととを含む。
【００１５】
本開示のある態様は、ワイヤレス通信のための装置を提供する。装置は、一般的に、プリアンブル部分とデータ部分とを有するフレームを発生させるように構成されている処理システムと、チャネルを介して、発生させたフレームを送信するように構成されている送信機とを具備し、プリアンブル部分は、データ部分中の有効なデータの長さを示すフィールドを含む。処理システムは、典型的に、フレームを送信するために、送信機に対するチャネルの帯域幅を決定することと、決定した帯域幅に基づいて、ビットのブロックを発生させることと、フレーム中にフィールドを発生させるために、決定した帯域幅にしたがった回数、ビットのブロックを繰り返すこととにより、フレームを発生させるように構成されている。
【００１６】
本開示のある態様は、ワイヤレス通信のための装置を提供する。装置は、一般的に、プリアンブル部分とデータ部分とを有するフレームを発生させる手段と、チャネルを介して、発生させたフレームを送信する手段とを具備し、プリアンブル部分は、データ部分中の有効なデータの長さを示すフィールドを含む。発生させる手段は、典型的に、フレームを送信するためにチャネルの帯域幅を決定し、決定した帯域幅に基づいて、ビットのブロックを発生させ、フレーム中にフィールドを発生させるために、決定した帯域幅にしたがった回数、ビットのブロックを繰り返すように構成されている。
【００１７】
本開示のある態様は、ワイヤレス通信のためのコンピュータプログラムプロダクトを提供する。コンピュータプログラムプロダクトは、一般的に、プリアンブル部分とデータ部分とを有するフレームを発生させ、チャネルを介して、発生させたフレームを送信するように実行可能である命令を有するコンピュータ読取可能媒体を具備し、プリアンブル部分は、データ部分中の有効なデータの長さを示すフィールドを含む。命令は、典型的に、フレームを送信するためにチャネルの帯域幅を決定することと、決定した帯域幅に基づいて、ビットのブロックを発生させることと、フレーム中にフィールドを発生させるために、決定した帯域幅にしたがった回数、ビットのブロックを繰り返すこととにより、フレームを発生させるように実行可能である。
【００１８】
本開示のある態様は、ワイヤレス通信のための方法を提供する。方法は、一般的に、プリアンブル部分とデータ部分とを有するフレームを受信し、プリアンブル部分は、データ部分中の有効なデータの長さを示すフィールドを含み、フィールドは、ブロックのうちの１つのブロックのビットが、ブロックのそれぞれにおいて繰り返されているような、複数の複製されたブロックを含むことと、フィールドに基づいて、データ部分をデコードすることとを含む。
【００１９】
本開示のある態様は、ワイヤレス通信のための装置を提供する。装置は、一般的に、受信機と処理システムとを具備する。受信機は、典型的に、プリアンブル部分とデータ部分とを有するフレームを受信するように構成されており、プリアンブル部分は、データ部分中の有効なデータの長さを示すフィールドを含み、フィールドは、ブロックのうちの１つのブロックのビットが、ブロックのそれぞれにおいて繰り返されているような、複数の複製されたブロックを含む。処理システムは、典型的に、フィールドに基づいて、データ部分をデコードするように構成されている。
【００２０】
本開示のある態様は、ワイヤレス通信のための装置を提供する。装置は、一般的に、プリアンブル部分が、データ部分中の有効なデータの長さを示すフィールドを含み、フィールドは、ブロックのうちの１つのブロックのビットが、ブロックのそれぞれにおいて繰り返されているような、複数の複製されたブロックを含む、プリアンブル部分とデータ部分とを有するフレームを受信する手段と、フィールドに基づいて、データ部分をデコードする手段とを具備する。
【００２１】
本開示のある態様は、ワイヤレス通信のためのコンピュータプログラムプロダクトを提供する。コンピュータプログラムプロダクトは、一般的に、プリアンブル部分が、データ部分中の有効なデータの長さを示すフィールドを含み、フィールドは、ブロックのうちの１つのブロックのビットが、ブロックのそれぞれにおいて繰り返されているような、複数の複製されたブロックを含む、プリアンブル部分とデータ部分とを有するフレームを受信し、フィールドに基づいて、データ部分をデコードするように実行可能である命令を有するコンピュータ読取可能媒体を具備する。
【図面の簡単な説明】
【００２２】
本開示の先に記載した特徴を詳細に理解できるように、先では簡単にまとめられているさらに特定の説明を、態様に対する参照によって得てもよく、態様のうちのいくつかは、添付した図面中で示されている。しかしながら、添付した図面は、本開示のある典型的な態様のみを示しており、それゆえ、その範囲を限定するものとして考えるべきでないことに留意すべきである。説明は、他の等しく有効な態様に適応できる余地があるためである。
【図１】図１は、本開示のある態様にしたがった、ワイヤレス通信ネットワークのダイヤグラムを図示している。
【図２】図２は、本開示のある態様にしたがった、例示的なアクセスポイント（ＡＰ）とユーザ端末のブロックダイヤグラムを図示している。
【図３】図３は、本開示のある態様にしたがった、パケットのプリアンブル部分の例示的な構造を図示している。
【図４】図４は、本開示のある態様にしたがった、図３中のパケットの超高スループット信号Ｂ（ＶＨＴ−ＳＩＧ−Ｂ）フィールドおよびデータ部分の例示的な構造を図示している。
【図５】図５は、本開示のある態様にしたがった、フレームのプリアンブル部分においてフィールドを有し、フレームのフィールドとデータ部分とが同じ数のサブキャリアを有するフレームを送信するためにＡＰにおいて実行されてもよい例示的な動作を説明している。
【図５Ａ】図５Ａは、図５において示されている動作を実行することが可能な例示的な手段を説明している。
【図６】図６は、本開示のある態様にしたがった、フレームのプリアンブル部分においてフィールドを有し、フレームのフィールドとデータ部分とが同じ数のサブキャリアを有するフレームを受信するために局（ＳＴＡ）において実行されてもよい例示的な動作を説明している。
【図６Ａ】図６Ａは、図６において示されている動作を実行することが可能な例示的な手段を説明している。
【図７】図７は、本開示のある態様にしたがった、プリアンブル部分のフィールド中のビットがチャネル帯域幅に基づいて繰り返されているフレームを送信するためにＡＰにおいて実行されてもよい例示的な動作を説明している。
【図７Ａ】図７Ａは、図７において示されている動作を実行することが可能な例示的な手段を説明している。
【図８】図８は、本開示のある態様にしたがった、プリアンブル部分のフィールド中のビットがチャネル帯域幅に基づいて繰り返されているフレームを受信するためにＳＴＡにおいて実行されてもよい例示的な動作を説明している。
【図８Ａ】図８Ａは、図８において示されている動作を実行することが可能な例示的な手段を説明している。
【図９】図９は、本開示のある態様にしたがった、チャネル帯域幅にしたがって繰り返されているビットを持つＶＨＴ−ＳＩＧ−Ｂフィールドの例示的な構造を図示している。
【詳細な説明】
【００２３】
添付の図面を参照して、開示のさまざまな態様をここより後でさらに十分に説明する。しかしながら、本開示は、多くの異なる形態で具現化されてもよく、本開示全体を通して提示される任意の特定の構造または機能に限定されるものとして解釈すべきではない。むしろ、これらの態様は、本開示が詳細かつ完成するように提供され、本開示の範囲を当業者に十分に伝えるだろう。本開示の他の何らかの態様から独立して、または、本開示の他の何らかの態様と組み合わせて、実現されるか否かにかかわらず、本開示の範囲が、ここで開示する開示のあらゆる態様をカバーするように意図されていることを、ここでの教示に基づいて、当業者は正しく認識すべきである。例えば、ここで述べる任意の数の態様を使用して、装置が実現されてもよく、または、方法が実施されてもよい。加えて、本開示の範囲は、ここで述べる開示のさまざまな態様に加えて、または、ここで述べる開示のさまざまな態様以外に、他の構造、機能性、あるいは、構造および機能性を使用して実施される、このような装置または方法をカバーすることを意図している。請求項の１つ以上のエレメントにより、ここで開示する開示の任意の態様を具現化してもよいことを理解すべきである。
【００２４】
“例として、事例として、あるいは実例として機能すること”を意味するために、“例示的な”という用語をここで使用する。“例示的な”ものとして、ここで説明するいずれの態様も、他の態様と比較して、必ずしも好ましいものとして、または、効果的なものとして解釈すべきではない。
【００２５】
特定の態様をここで説明するが、これらの態様の多くのバリエーションおよび置換が本開示の範囲内にある。好ましい態様の何らかの利益および利点を述べるが、本開示の範囲は、特定の利益、使用、または、目的に限定されることを意図していない。むしろ、本開示の態様は、異なるワイヤレス技術、システムコンフィギュレーション、ネットワーク、および、送信プロトコルに広く適用可能であるように意図されており、そのうちのいくつかは、一例として、図面中および好ましい態様の以下の説明中で示されている。詳細な説明および図は、限定ではなく、本開示の単なる例示であり、本開示の範囲は、添付の特許請求の範囲およびそれらの均等物により規定されている。
【００２６】
例示的なワイヤレス通信システム
ここで説明する技術は、直交多重化スキームに基づいている通信システムを含む、さまざまなブロードバンドワイヤレス通信システムに対して使用されてもよい。このような通信システムの例は、空間分割多元接続（ＳＤＭＡ）システム、時分割多元接続（ＴＤＭＡ）システム、直交周波数分割多元接続（ＯＦＤＭＡ）システム、単一搬送波周波数分割多元接続（ＳＣ−ＦＤＭＡ）システム等を含む。ＳＤＭＡシステムは、十分に異なる方向を利用して、複数のユーザ端末に属するデータを同時に送信してもよい。ＴＤＭＡシステムは、送信信号を、各タイムスロットが異なるユーザ端末に割り当てられている異なるタイムスロットに分割することにより、複数のユーザ端末が、同じ周波数チャネルを共有することを可能にしてもよい。ＯＦＤＭＡシステムは、システム全体の帯域幅を複数の直交サブキャリアに区分する変調技術である直交周波数分割多重化（ＯＦＤＭ）を利用する。これらのサブキャリアは、トーン、ビン等とも呼ぶことがある。ＯＦＤＭでは、各サブキャリアは、データにより独立して変調されてもよい。ＳＣ−ＦＤＭＡシステムは、インターリーブされたＦＤＭＡ（ＩＦＤＭＡ）を利用して、システム帯域幅にわたって分散されているサブキャリア上で送信してもよく、局所化されたＦＤＭＡ（ＬＦＤＭＡ）を利用して、隣り合ったサブキャリアのブロック上で送信してもよく、または、拡張されたＦＤＭＡ（ＥＦＤＭＡ）を利用して、隣り合ったサブキャリアの複数のブロック上で送信してもよい。一般に、変調シンボルは、ＯＦＤＭでは周波数ドメイン中で、および、ＳＣ−ＦＤＭＡでは時間ドメイン中で送られる。
【００２７】
ここでの教示は、さまざまなワイヤードまたはワイヤレスの装置（例えば、ノード）中に組み込まれてもよい（例えば、これらの装置内で実現されてもよく、または、これらの装置により実行されてもよい）。いくつかの態様では、ここでの教示にしたがって実現されるワイヤレスノードは、アクセスポイントまたはアクセス端末を含んでもよい。
【００２８】
アクセスポイント（“ＡＰ”）は、ノードＢ、無線ネットワーク制御装置（“ＲＮＣ”）、ｅノードＢ、基地局制御装置（“ＢＳＣ”）、基地トランシーバ局（“ＢＴＳ”）、基地局（“ＢＳ”）、トランシーバ機能（“ＴＦ”）、無線ルータ、無線トランシーバ、ベーシックサービスセット（“ＢＳＳ”）、拡張サービスセット（“ＥＳＳ”）、無線基地局（“ＲＢＳ”）、または、他の何らかの専門用語を含んでもよく、これらのものとして実現されてもよく、あるいは、これらのものとして知られてもよい。
【００２９】
アクセス端末（“ＡＴ”）は、アクセス端末、加入者局、加入者ユニット、移動局、遠隔局、遠隔端末、ユーザ端末、ユーザエージェント、ユーザデバイス、ユーザ機器、ユーザ局、または、他の何らかの専門用語を含んでもよく、これらのものとして実現されてもよく、あるいは、これらのものとして知られてもよい。いくつかの構成では、アクセス端末は、セルラ電話機、コードレス電話機、セッション開始プロトコル（“ＳＩＰ”）電話機、ワイヤレスローカルループ（“ＷＬＬ”）局、パーソナルデジタルアシスタント（“ＰＤＡ”）、ワイヤレス接続能力を有するハンドヘルドデバイス、局（“ＳＴＡ”）、または、ワイヤレスモデムに接続されている他の何らかの適切な処理デバイスを含んでもよい。したがって、ここで教示する１つ以上の態様は、電話機（例えば、セルラ電話機またはスマートフォン）中に、コンピュータ（例えば、ラップトップ）中に、ポータブル通信デバイス中に、ポータブルコンピューティングデバイス（例えば、パーソナルデータアシスタント）中に、エンターテインメントデバイス（例えば、音楽またはビデオのデバイス、あるいは、衛星ラジオ）中に、グローバルポジショニングシステムデバイス中に、あるいは、ワイヤレスまたはワイヤードの媒体を介して通信するように構成されている他の何らかの適切なデバイス中に、組み込まれてもよい。いくつかの態様では、ノードはワイヤレスノードである。このようなワイヤレスノードは、例えば、ワイヤードまたはワイヤレスの通信リンクを介しての、ネットワーク（例えば、インターネットのようなワイドエリアネットワークまたはセルラネットワーク）のための接続性あるいはネットワーク（例えば、インターネットのようなワイドエリアネットワークまたはセルラネットワーク）への接続性を提供してもよい。
【００３０】
図１は、アクセスポイントとユーザ端末とを持つ多元接続複数入力複数出力（ＭＩＭＯ）システム１００を図示している。簡潔さのために、図１では、１つのアクセスポイント１１０のみが示されている。アクセスポイントは、一般的に、ユーザ端末と通信する固定局であり、基地局または他の何らかの専門用語と呼ぶこともある。ユーザ端末は、固定または移動性のものであってもよく、移動局、ワイヤレスデバイス、または、他の何らかの専門用語と呼ぶこともある。アクセスポイント１１０は、何らかの所定の瞬間において、ダウンリンク上およびアップリンク上で、１つ以上のユーザ端末１２０と通信してもよい。ダウンリンク（すなわち、フォワードリンク）は、アクセスポイントからユーザ端末への通信リンクであり、アップリンク（すなわち、リバースリンク）は、ユーザ端末からアクセスポイントへの通信リンクである。ユーザ端末はまた、別のユーザ端末とピア・ツー・ピアで通信してもよい。システム制御装置１３０は、アクセスポイントに結合され、アクセスポイントに対して調整および制御を提供する。
【００３１】
以下の開示の一部は、空間分割多元接続（ＳＤＭＡ）により通信することが可能なユーザ端末１２０を説明しているが、ある実施形態に対して、ユーザ端末１２０は、ＳＤＭＡをサポートしない何らかのユーザ端末も含んでもよい。したがって、このような実施形態に対して、ＳＤＭＡユーザ端末および非ＳＤＭＡユーザ端末の双方と通信するようにＡＰ１１０が構成されてもよい。都合のよいことに、このアプローチにより、古いバージョンのユーザ端末（“レガシー”局）を企業で採用し続けることが可能になり、それらの有効寿命が伸びる一方で、適切であると思われるときには、より新しいＳＤＭＡユーザ端末を導入することが可能になる。
【００３２】
システム１００は、データ送信のために、ダウンリンク上およびアップリンク上で、複数の送信アンテナと複数の受信アンテナとを用いる。アクセスポイント１１０には、Ｎap本のアンテナが装備され、アクセスポイント１１０は、ダウンリンク送信に対する複数入力（ＭＩ）と、アップリンク送信に対する複数出力（ＭＯ）とを表す。１組のＫ個の選択されたユーザ端末１２０は、集合的に、ダウンリンク送信に対する複数出力と、アップリンク送信に対する複数入力とを表す。純粋なＳＤＭＡに対して、何らかの手段により、Ｋ個のユーザ端末に対するデータシンボルストリームが、コードで、周波数で、または、時間で多重化されていない場合に、Ｎap≧Ｋ≧１を有することが望ましい。ＴＤＭＡ技術を使用して、ＣＤＭＡでは異なるコードチャネルを使用して、ＯＦＤＭでは互いに素な集合のサブバンドを使用する等して、データシンボルストリームを多重化できる場合に、Ｋは、Ｎapよりも大きいことがある。選択された各ユーザ端末は、アクセスポイントに対して、ユーザ固有のデータを送信し、および／または、アクセスポイントから、ユーザ固有のデータを受信する。一般に、選択された各ユーザ端末には、１本または複数のアンテナ（すなわち、Ｎut≧１）が装備されていてもよい。Ｋ個の選択されたユーザ端末は、同じ数のアンテナまたは異なる数のアンテナを有することができる。
【００３３】
ＭＩＭＯシステム１００は、時分割複信（ＴＤＤ）システムまたは周波数分割複信（ＦＤＤ）システムであってもよい。ＴＤＤシステムに対して、ダウンリンクとアップリンクは、同じ周波数帯域を共有する。ＦＤＤシステムに対して、ダウンリンクとアップリンクは、異なる周波数帯域を使用する。ＭＩＭＯシステム１００はまた、送信のために、単一の搬送波または複数の搬送波を利用してもよい。各ユーザ端末には、（例えば、コストを低く抑えるために）単一のアンテナが装備されていてもよく、または、（例えば、付加的なコストをサポートできる場合には）複数のアンテナが装備されていてもよい。送信／受信を、異なるタイムスロットが異なるユーザ端末１２０に割り当てられている各タイムスロットに分割することにより、ユーザ端末１２０が同じ周波数チャネルを共有する場合に、システム１００はまた、ＴＤＭＡシステムであってもよい。
【００３４】
図２は、ＭＩＭＯシステム１００中の、アクセスポイント１１０と２つのユーザ端末１２０ｍおよび１２０ｘのブロックダイヤグラムを図示している。アクセスポイント１１０には、Ｎt本のアンテナ２２４ａないし２２４ｔが装備されている。ユーザ端末１２０ｍには、Ｎut,m本のアンテナ２５２ｍａないし２５２ｍｕが装備されており、ユーザ端末１２０ｘには、Ｎut,x本のアンテナ２５２ｘａないし２５２ｘｕが装備されている。アクセスポイント１１０は、ダウンリンクリンクに対しては送信エンティティであり、アップリンクに対しては受信エンティティである。各ユーザ端末１２０は、アップリンクに対しては送信エンティティであり、ダウンリンクに対しては受信エンティティである。ここで使用するような“送信エンティティ”は、ワイヤレスチャネルを介してデータを送信することが可能な、独立して動作する装置またはデバイスであり、“受信エンティティ”は、ワイヤレスチャネルを介してデータを受信することが可能な、独立して動作する装置またはデバイスである。以下の説明では、下付き文字“ｄｎ”は、ダウンリンクを示し、下付き文字“ｕｐ”は、アップリンクを示し、Ｎup個のユーザ端末が、アップリンク上での同時送信に対して選択され、Ｎdn個のユーザ端末が、ダウンリンク上での同時送信に対して選択され、Ｎupは、Ｎdnに等しくてもよく、または、等しくなくてもよく、ＮupおよびＮdnは、静的な値であってもよく、あるいは、各スケジューリング間隔の間に変化することがある。アクセスポイントならびにユーザ端末において、ビームステアリングまたは他の何らかの空間処理技術が使用されてもよい。
【００３５】
アップリンク上では、アップリンク送信に対して選択された各ユーザ端末１２０において、ＴＸデータプロセッサ２８８が、データソース２８６からトラフィックデータを受け取り、制御装置２８０から制御データを受け取る。ＴＸデータプロセッサ２８８は、ユーザ端末に対して選択されているレートに関係するコーディングおよび変調スキームに基づいて、ユーザ端末に対するトラフィックデータを処理し（例えば、エンコードし、インターリーブし、および変調し）、データシンボルストリームを提供する。ＴＸ空間プロセッサ２９０は、データシンボルストリーム上で空間処理を実行し、Ｎut,m本のアンテナに対するＮut,m個の送信シンボルストリームを提供する。各送信機ユニット（ＴＭＴＲ）２５４は、それぞれの送信シンボルストリームを受け取って処理して（例えば、アナログへとコンバートして、増幅して、フィルタリングして、および、周波数アップコンバートして）、アップリンク信号を発生させる。Ｎut,m台の送信機ユニット２５４は、Ｎut,m本のアンテナ２５２からアクセスポイントへの送信に対して、Ｎut,m個のアップリンク信号を提供する。
【００３６】
アップリンク上での同時送信に対して、Ｎup個のユーザ端末をスケジュールしてもよい。これらのユーザ端末のそれぞれは、そのデータシンボルストリーム上で空間処理を実行し、その組の送信シンボルストリームをアップリンク上でアクセスポイントに送信する。
【００３７】
アクセスポイント１１０において、Ｎap本のアンテナ２２４ａないし２２４ａｐは、アップリンク上で送信するすべてのＮup個のユーザ端末からのアップリンク信号を受信する。各アンテナ２２４は、それぞれの受信機ユニット（ＲＣＶＲ）２２２に対して、受信した信号を提供する。各受信機ユニット２２２は、送信機ユニット２５４により実行される処理と相補的な処理を実行し、受信したシンボルストリームを提供する。ＲＸ空間プロセッサ２４０は、Ｎap台の受信機ユニット２２２からのＮap個の受信したシンボルストリーム上で、受信機空間処理を実行し、Ｎup個の復元したアップリンクデータシンボルストリームを提供する。チャネル相関マトリックス逆変換（ＣＣＭＩ）、最小平均二乗誤差（ＭＭＳＥ）、ソフト干渉消去（ＳＩＣ）、または、他の何らかの技術にしたがって、受信機空間処理が実行される。各復元したアップリンクデータシンボルストリームは、それぞれのユーザ端末により送信されたデータシンボルストリームの推定である。ＲＸデータプロセッサ２４２は、そのストリームに対して使用されているレートにしたがって、各復元したアップリンクデータシンボルストリームを処理して（例えば、復調して、デインターリーブして、および、デコードして）、デコードしたデータを取得する。各ユーザ端末に対するデコードしたデータを、記憶のためにデータシンク２４４に提供してもよく、および／または、さらなる処理のために制御装置２３０に提供してもよい。
【００３８】
ダウンリンク上では、アクセスポイント１１０において、ＴＸデータプロセッサ２１０が、ダウンリンク送信に対してスケジュールされているＮdn個のユーザ端末に対するトラフィックデータをデータソース２０８から受け取り、制御装置２３０から制御データを受け取り、場合によっては、スケジューラ２３４から他のデータを受け取る。さまざまなタイプのデータが、異なるトランスポートチャネル上で送られてもよい。ＴＸデータプロセッサ２１０は、そのユーザ端末に対して選択されているレートに基づいて、各ユーザ端末に対するトラフィックデータを処理する（例えば、エンコードする、インターリーブする、および、変調する）。ＴＸデータプロセッサ２１０は、Ｎdn個のユーザ端末に対するＮdn個のダウンリンクデータシンボルストリームを提供する。ＴＸ空間プロセッサ２２０は、Ｎdn個のダウンリンクデータシンボルストリーム上で（本開示で説明するようなプリコーディングまたはビームフォーミング等の）空間処理を実行し、Ｎap本のアンテナに対してＮap個の送信シンボルストリームを提供する。各送信機ユニット２２２は、それぞれの送信シンボルストリームを受け取って処理し、ダウンリンク信号を発生させる。Ｎap台の送信機ユニット２２２は、Ｎap本のアンテナ２２４からユーザ端末への送信に対して、Ｎap個のダウンリンク信号を提供する。
【００３９】
各ユーザ端末１２０において、Ｎut,m本のアンテナ２５２は、アクセスポイント１１０からＮap個のダウンリンク信号を受信する。各受信機ユニット２５４は、関係付けられているアンテナ２５２からの受信信号を処理し、受信したシンボルストリームを提供する。ＲＸ空間プロセッサ２６０は、Ｎut,m台の受信機ユニット２５４からのＮut,m個の受信したシンボルストリーム上で受信機空間処理を実行し、ユーザ端末に対する復元したダウンリンクデータシンボルストリームを提供する。ＣＣＭＩ、ＭＭＳＥ、または、他の何らかの技術にしたがって、受信機空間処理が実行される。ＲＸデータプロセッサ２７０は、復元したダウンリンクデータシンボルストリームを処理して（例えば、復調して、デインターリーブして、および、デコードして）、ユーザ端末に対するデコードしたデータを取得する。
【００４０】
各ユーザ端末１２０において、チャネル推定器２７８は、ダウンリンクチャネル応答を推定して、ダウンリンクチャネル推定を提供する。ダウンリンクチャネル推定は、チャネル利得推定、ＳＮＲ推定、ノイズ分散等を含んでもよい。同様に、チャネル推定器２２８は、アップリンクチャネル応答を推定して、アップリンクチャネル推定を提供する。各ユーザ端末に対する制御装置２８０は、典型的に、そのユーザ端末に対するダウンリンクチャネル応答マトリックスＨdn,mに基づいて、ユーザ端末に対する空間フィルタマトリックスを導出する。制御装置２３０は、実効アップリンクチャネル応答マトリックスＨup,effに基づいて、アクセスポイントに対する空間フィルタマトリックスを導出する。各ユーザ端末に対する制御装置２８０は、アクセスポイントにフィードバック情報（例えば、ダウンリンクおよび／またはアップリンクの固有ベクトル、固有値、ＳＮＲ推定等）を送ってもよい。制御装置２３０および２８０はまた、アクセスポイント１１０およびユーザ端末１２０におけるさまざまな処理ユニットの動作をそれぞれ制御する。
【００４１】
例示的なプリアンブル構造
図３は、本開示のある態様にしたがった、プリアンブル３００の例示的な構造を図示している。プリアンブル３００は、例えば、図１において図示されているＭＩＭＯシステム１００中で、アクセスポイント（ＡＰ）１１０からユーザ端末１２０に送信されてもよい。
【００４２】
プリアンブル３００は、全レガシー部分３０２（すなわち、ビームフォーミングされていない部分）と、プリコードされたＩＥＥＥ８０２．１１ａｃ ＶＨＴ（超高スループット）部分３０４とを含んでもよい。全レガシー部分３０２は、レガシーショートトレーニングフィールド（Ｌ−ＳＴＦ）３０６と、レガシーロングトレーニングフィールド３０８と、レガシー信号（Ｌ−ＳＩＧ）フィールド３１０と、ＶＨＴ信号Ａ（ＶＨＴ−ＳＩＧ−Ａ）フィールド３１２、３１４に対する２つのＯＦＤＭシンボルとを含んでもよい。ＶＨＴ−ＳＩＧ−Ａフィールド３１２、３１４（すなわち、ＶＨＴ−ＳＩＧ−Ａ１およびＶＨＴ−ＳＩＧ−Ａ２）は、全方向に送信されてもよく、ＳＴＡの組み合わせ（組）に対する、空間ストリームの数の割り振りを示してもよい。
【００４３】
プリコードされたＩＥＥＥ８０２．１１ａｃ ＶＨＴ部分３０４は、ＶＨＴショートトレーニングフィールド（ＶＨＴ−ＳＴＦ）３１８と、ＶＨＴロングトレーニングフィールド１（ＶＨＴ−ＬＴＦ１）３２０と、潜在的に他のＶＨＴロングトレーニングフィールド（ＶＨＴ−ＬＴＦ）３２２と、ＶＨＴ信号Ｂ（ＶＨＴ−ＳＩＧ−Ｂ）フィールド３２４と、データ部分３２６とを含んでもよい。ＶＨＴ−ＳＩＧ−Ｂフィールド３２４は、１つのＯＦＤＭシンボルを含んでもよく、ＶＨＴ−ＳＩＧ−Ｂフィールド３２４は、プリコード／ビームフォーミングされて、送信されてもよい。
【００４４】
図１からのシステム１００のような、次世代ＷＬＡＮでは、ダウンリンク（ＤＬ）マルチユーザ（ＭＵ）ＭＩＭＯ送信は、ネットワーク全体のスループットを増加させるための将来有望な技術を表してもよい。ロバストＭＵ−ＭＩＭＯ受信は、ＡＰが、すべてのサポートしているＳＴＡに、すべてのＶＨＴ−ＬＴＦ３２２を送信することを伴ってもよい。ＶＨＴ−ＬＴＦ３２２により、ＡＰのすべてのアンテナからＳＴＡのアンテナへのＭＩＭＯチャネルを各ＳＴＡが推定することが可能になってもよい。ＳＴＡは、推定したチャネルを利用して、他のＳＴＡに対応するＭＵ−ＭＩＭＯストリームからの実効干渉ヌリングを実行してもよい。ロバストな干渉消去を実行するために、各ＳＴＡは、どの空間ストリームがそのＳＴＡに属するかを、および、どの空間ストリームが他のユーザに属するかを知るように期待されてもよい。
【００４５】
ＤＬ ＭＵ−ＭＩＭＯ送信の大抵の態様では、アクセスポイントから複数のユーザ局（ＳＴＡ）に送信されるプリアンブルのビームフォーミングされていない部分が、空間ストリーム割り振りフィールドを搬送してもよく、空間ストリーム割り振りフィールドは、ＳＴＡに対する空間ストリームの割り振りを示す。この割り振り情報をＳＴＡ側において構文解析するために、各ＳＴＡは、ＭＵ送信を受信するようにスケジュールされている複数のＳＴＡからのＳＴＡの組中でのその順序またはＳＴＡ番号を知る必要があることがある。これは、グループの形成を必要とすることがあり、ここで、ある態様に対して、プリアンブル中のグループ識別子（グループＩＤ）フィールド３１６が、所定のＭＵ−ＭＩＭＯ送信で送信されるＳＴＡの組（およびそれらの順序）を、サポートされているすべてのＳＴＡに伝えてもよい。他の態様に対して、ＶＨＴ−ＳＩＧ−Ａフィールド３１２、３１４内（例えば、ＶＨＴ−ＳＩＧ−Ａ１中のビット４〜９）のような、プリアンブル３００中の別のフィールドの一部として、グループＩＤが示されてもよい。
【００４６】
図４は、図３中のパケットのＶＨＴ−ＳＩＧ−Ｂフィールド３２４およびデータ部分３２６の例示的な構造をさらに詳細に図示している。ＶＨＴ−ＳＩＧ−Ｂフィールド３２４は、物理レイヤコンバージェンスプロトコル（ＰＬＣＰ）サービスデータユニット（ＰＳＤＵ）中の有効なデータの長さ（例えば、データ部分３２６中の有効なデータの長さ）を示してもよい。マルチユーザ適用のような、ある態様に対して、ＶＨＴ−ＳＩＧ−Ｂフィールド３２４は、ユーザ固有の情報（例えば、変調およびコーディングレート）を含んでもよく、異なるＳＴＡに対して空間的に多重化されてもよい。そのため、ＶＨＴ−ＳＩＧ−Ｂフィールド３２４は、多数の情報ビット４０２に続いて、多数のテールビット４０４を含んでもよい。例えば、２０ＭＨｚチャネルに対して、ＶＨＴ−ＳＩＧ−Ｂフィールド３２４は、２６ビットを含んでもよく、２６ビットは、２０個の情報ビットと、６個のテールビットとに分割されてもよい。マルチユーザ適用に対して、２０個の情報ビットは、（データ部分中の有効なデータの長さを示す）１６ビットの長さフィールドと、４ビットの変調およびコーディングスキーム（ＭＣＳ）インデックスとを含んでもよい。単一ユーザ適用に対して、２０個の情報ビットは、１７ビットの長さフィールドと、３個の予約されたビットとを含んでもよい。
【００４７】
データ部分３２６は、サービスフィールド４０６と、ＶＨＴ集約ＭＡＣプロトコルデータユニット（ＶＨＴ−ＡＭＰＤＵ）４０８とを含んでもよい。ある態様に対して、サービスフィールド４０６は、２バイト（すなわち、１６ビット）を含んでもよい。データ部分をスクランブルするスクランブラの初期化のために使用されるとき、サービスフィールド４０６は、スクランブラ４１０と、多数の予約ビット４１１と、ＶＨＴ−ＳＩＧ−Ｂフィールド３２４に対する巡回冗長検査（ＣＲＣ）４１２とを含んでもよい。ある態様に対して、図４において示されているように、１個の予約ビット４１１を残して、スクランブラ４１０が７ビットを含んでもよく、ＣＲＣ４１２が８ビットを含んでもよい。
【００４８】
例示的なＶＨＴ−ＳＩＧ−Ｂフィールドのフォーマット
先に説明したように、ＶＨＴ−ＳＩＧ−Ｂフィールド３２４は、すべてのターゲットＳＴＡへのＳＤＭＡ送信のために使用されるパラメータ値を含んでもよい。ＶＨＴ−ＳＩＧ−Ｂフィールド３２４は、変調およびコーディングスキーム（ＭＣＳ）インデックス値、チャネルの帯域幅、および／または、空間ストリームの数を示す値のような、個別のＳＴＡにしたがって異なって設定されてもよいパラメータ値に関する情報を含んでもよい。ＶＨＴ−ＳＩＧ−Ｂフィールド３２４に対する多数の適用または目的が規定されているが、いくつかの未解決の問題が、ＶＨＴ−ＳＩＧ−Ｂフィールドのフォーマットに関して残っている。これらの問題は、ＶＨＴ−ＳＩＧ−Ｂフィールド内の、サブキャリアの数と、パイロットマッピングと、ガードインターバルと、持続時間（または長さ）フィールドとを含む。ある態様に対して、ＶＨＴ−ＳＩＧ−Ｂフィールド３２４は、４００ｎｓの短ガードインターバル（ＧＩ）とは対照的に、８００ｎｓであってもよい長ＧＩを常に使用してもよい。残りの問題は、以下で詳細に説明する。
【００４９】
サブキャリアの数
ＶＨＴ−ＳＩＧ−Ｂフィールド３２４に対するサブキャリアの数を選ぶために、少なくとも２つのオプションが利用可能である。ある態様に対して、サブキャリアの数は、ＶＨＴ−ＳＩＧ−Ａフィールド３１２のサブキャリアの数に等しくてもよい一方で、他の態様に対して、サブキャリアの数は、ＶＨＴデータ部分３２６に対して使用されるサブキャリアの数に等しくてもよい。
【００５０】
第１のオプションでは、すべての２０ＭＨｚサブチャネル中のサブキャリアは、まさにＶＨＴ−ＳＩＧ−Ａフィールド３１２のように複製されてもよい。しかしながら、ＶＨＴ−ＳＩＧ−Ｂに対するパイロットマッピングは、ＶＨＴ−ＳＩＧ−Ａパイロットマッピングを使用するのではなく、データ部分３２６に対するパイロットマッピングと同じであってもよい。ＶＨＴ−ＳＩＧ−Ｂ総電力をＶＨＴ−ＬＴＦ総電力に等しく維持するために、電力スケーリングが適用されてもよい。しかしながら、ＶＨＴ−ＳＩＧ−Ｂフィールド３２４のトーン当たりの電力は、ＶＨＴ−ＬＴＦフィールド３２０、３２２のトーン当たりの電力と異なってもよい。これは、グリーンフィールド（ＧＦ）パケット中のＩＥＥＥ８０２．１１ｎ高スループット信号（ＨＴ−ＳＩＧ）フィールドに類似してもよい。ＶＨＴ−ＳＩＧ−Ｂ中のサブキャリアの数が、ＶＨＴ−ＳＩＧ−Ａのサブキャリアの数に等しい場合、ＶＨＴ−ＳＩＧ−Ｂフィールドは、２０ＭＨｚモードにおいて２４ビットを含んでもよい。
【００５１】
第２のオプションにしたがうと、ＶＨＴ−ＳＩＧ−Ｂ中のサブキャリア（すなわち、トーン）の数は、ＶＨＴ−ＤＡＴＡ（すなわち、データ部分３２６）に対して使用されるサブキャリアの数に等しくてもよい。このケースでは、パイロットマッピングおよび電力スケーリングもまた、データ部分３２６と同じであってもよい。ある態様に対して、このことが意味するのは、ＶＨＴ−ＳＩＧ−Ｂフィールド３２４は、２０ＭＨｚチャネルに対して利用可能な６４本のサブキャリアを有することがあるが、データ部分３２６と同様に５６本のサブキャリアのみを使用してもよいということである。これらの５６本のサブキャリアのうち、４本のサブキャリアをパイロットのために使用してもよい。ＶＨＴ−ＳＩＧ−Ｂ中のサブキャリアの数が、ＶＨＴ−ＤＡＴＡのサブキャリアの数に等しい場合、ＶＨＴ−ＳＩＧ−Ｂフィールド３２４は、２０ＭＨｚモードにおいて２６ビットを含んでもよい。
【００５２】
送信される前に、これらの２６個のプリコードされたビットが、変調およびエンコードされ、これにより、異なる数のビットが実際には送信される。例えば、ＶＨＴ−ＳＩＧ−Ｂフィールド３２４中の２６個のプリコードされたビットは、レート＝１／２の畳み込みエンコーディングとともに２相位相シフトキーイング（ＢＰＳＫ）を使用して、変調およびエンコードされて、送信するために実際に処理される５２個のコーディングビットが形成されてもよい。しかしながら、異なる変調およびコーディングスキームを使用してもよいことから、本説明中のここより後の“ビット”という用語は、主として、変調およびコーディングの前の、さまざまなフィールド中のプリコードされたビットの数のことを指すだろう。
【００５３】
図５は、本開示のある態様にしたがった、フレームのプリアンブル部分においてフィールドを有し、フレームのフィールドとデータ部分とが同じ数のサブキャリアを有するフレームを送信するためにアクセスポイント（ＡＰ）において実行されてもよい例示的な動作５００を説明している。動作５００は、プリアンブル部分とデータ部分とを有するフレーム（すなわち、パケット）を発生させることにより、５０２において開始してもよい。プリアンブル部分は、図３のプリアンブル３００のすべてまたは任意の部分を含んでもよく、データ部分は、図３のデータ部分３２６であってもよい。プリアンブル部分は、データ部分中の有効なデータの長さを示すフィールド（例えば、ＶＨＴ−ＳＩＧ−Ｂフィールド３２４）を含んでもよい。フィールドとデータ部分の双方が、同じ数のサブキャリア（例えば、２０ＭＨｚチャネルに対して５６本のサブキャリア、４０ＭＨｚチャネルに対して１１４本のサブキャリア、８０ＭＨｚチャネルに対して２４２本のサブキャリア、または、１６０ＭＨｚチャネルに対して４８４本のサブキャリア）を使用してもよい。５０４において、ＡＰは、発生させたフレームを送信してもよい。
【００５４】
図６は、本開示のある態様にしたがった、フレームのプリアンブル部分においてフィールドを有し、フレームのフィールドとデータ部分とが同じ数のサブキャリアを有するフレームを受信するために局（ＳＴＡ）において実行されてもよい例示的な動作６００を説明している。動作６００は、プリアンブル部分とデータ部分とを有するフレームを受信することにより、６０２において開始してもよい。プリアンブル部分は、図３のプリアンブル３００のすべてまたは任意の部分を含んでもよく、データ部分は、図３のデータ部分３２６であってもよい。プリアンブル部分は、データ部分中の有効なデータの長さを示すフィールド（例えば、ＶＨＴ−ＳＩＧ−Ｂフィールド３２４）を含んでもよい。フィールドとデータ部分の双方が、同じ数のサブキャリア（例えば、２０ＭＨｚチャネルに対して５６本のサブキャリア、４０ＭＨｚチャネルに対して１１４本のサブキャリア、８０ＭＨｚチャネルに対して２４２本のサブキャリア、または、１６０ＭＨｚチャネルに対して４８４本のサブキャリア）を使用する。６０４において、ＳＴＡは、フィールドに基づいて、データ部分をデコードしてもよい。ＳＴＡは、フィールドにしたがった有効なデータの長さに基づいて、有効なデータの終わりに達した後、データ部分をデコードするのを止めてもよい。
【００５５】
ある態様に対して、ＶＨＴ−ＳＩＧ−Ｂフィールド３２４中のビットのブロックは、４０ＭＨｚモード、８０ＭＨｚモード、および、１６０ＭＨｚモードのような、より広い帯域幅に対して、何回か、繰り返されてもよく、または、コピーされてもよい。このビットの繰り返しは、情報ビットおよびテールビットの双方を含んでもよい。２０ＭＨｚよりも広いチャネル帯域幅に対する任意の追加ビットは、予約ビットとして示されてもよい。ある態様に対して、ビットのブロック中の任意の予約ビットもまた、繰り返されてもよい。より広いチャネル帯域幅に対してビットを繰り返すことは、受信機が、（例えば、テールビットの繰り返しによって）繰り返されているソフト値の平均化により、処理利得を達成するための簡単な方法を提供する。
【００５６】
図７は、本開示のある態様にしたがった、プリアンブル部分のフィールド中のビットがチャネル帯域幅に基づいて繰り返されているフレームを送信するためにアクセスポイント１１０において実行されてもよい例示的な動作７００を説明している。動作７００は、プリアンブル部分とデータ部分とを有するフレームを発生させることにより、７０２において開始してもよい。プリアンブル部分は、データ部分中の有効なデータの長さを示すフィールド（例えば、ＶＨＴ−ＳＩＧ−Ｂフィールド３２４）を含んでもよい。７０４において、ＡＰは、ワイヤレスチャネルのような、チャネルを介して、発生させたフレームを送信してもよい。チャネルの帯域幅は、例えば、おおよそ２０ＭＨｚ、４０ＭＨｚ、８０ＭＨｚ、または、１６０ＭＨｚであってもよい。７０２におけるフレームの発生は、７０４におけるフレームの送信のためにチャネルの帯域幅を決定することと、決定した帯域幅に基づいて、ビットのブロックを発生させることと、フレーム中にフィールドを発生させるために、決定した帯域幅にしたがった回数、ビットのブロックを繰り返すこととを含んでもよい。
【００５７】
図８は、本開示のある態様にしたがった、プリアンブル部分のフィールド中のビットがチャネル帯域幅に基づいて繰り返されているフレームを受信するためにＳＴＡにおいて実行されてもよい例示的な動作８００を説明している。動作８００は、先に説明したようなプリアンブル部分とデータ部分とを有するフレームを受信することにより、８０２において開始してもよい。プリアンブル部分は、データ部分中の有効なデータの長さを示すフィールド（例えば、ＶＨＴ−ＳＩＧ−Ｂフィールド３２４）を含んでもよい。フィールドは、ブロックのうちの１つのブロックのビットが、ブロックのそれぞれにおいて繰り返されているような、複数の複製されたビットのブロックを含んでもよい。８０４において、ＳＴＡは、フィールドに基づいて、データ部分をデコードしてもよい。ＳＴＡは、フィールドにしたがった有効なデータの長さに基づいて、有効なデータの終わりに達した後、データ部分をデコードするのを止めてもよい。
【００５８】
図９は、本開示のある態様にしたがった、チャネル帯域幅にしたがって繰り返されているビットを持つＶＨＴ−ＳＩＧ−Ｂフィールドの例示的な構造を図示している。先に説明したように、２０ＭＨｚモードに対するＶＨＴ−ＳＩＧ−Ｂフィールド３２４（すなわち、２０ＭＨｚ ＶＨＴ−ＳＩＧ−Ｂフィールド３２４20）は、２０個の情報ビット４０２に続いて、６個のテールビット４０４を含んでもよい。
【００５９】
４０ＭＨｚ ＶＨＴ−ＳＩＧ−Ｂフィールド３２４40は、２回繰り返されているビットのブロックを含んでもよい。４０ＭＨｚ ＶＨＴ−ＳＩＧ−Ｂフィールド３２４40中のビットの各ブロックは、ブロック中の総数２７ビットに対して、２０個の情報ビットと、単一の予約ビット９０２と、６個のテールビットとを含んでもよい。２７ビットのブロックを２回繰り返すことにより、４０ＭＨｚ ＶＨＴ−ＳＩＧ−Ｂフィールド３２４40は、総数５４ビットを含む。
【００６０】
同様に、８０ＭＨｚ ＶＨＴ−ＳＩＧ−Ｂフィールド３２４80は、４回繰り返されているビットのブロックを含んでもよい。８０ＭＨｚ ＶＨＴ−ＳＩＧ−Ｂフィールド３２４80中のビットの各ブロックは、ブロック中の総数２９ビットに対して、２０個の情報ビットと、３個の予約ビット９０４のブロックと、６個のテールビットとを含んでもよい。２９ビットのブロックを４回繰り返し、フィールドの終わりに単一の予約ビット９０６を追加することによって、８０ＭＨｚ ＶＨＴ−ＳＩＧ−Ｂフィールド３２４80は、総数１１７ビット（または、予約ビット９０６のない、少なくとも１１６ビット）を含んでもよい。
【００６１】
同様に、１６０ＭＨｚ ＶＨＴ−ＳＩＧ−Ｂフィールド３２４160は、８回繰り返されているビットのブロックを含んでもよい。１６０ＭＨｚ ＶＨＴ−ＳＩＧ−Ｂフィールド３２４160中のビットの各ブロックは、８０ＭＨｚモード中におけるのと同じビットのブロックである、ブロック中の総数２９ビットに対して、２０個の情報ビットと、３個の予約ビット９０４のブロックと、６個のテールビットとを含んでもよい。２９ビットのブロックを８回繰り返し、フィールドの終わりに２個の予約ビット９０８を追加することによって、１６０ＭＨｚ ＶＨＴ−ＳＩＧ−Ｂフィールド３２４160は、総数２３４ビット（または、２個の予約ビット９０８のない、少なくとも２３２ビット）を含んでもよい。
【００６２】
パイロットマッピング
ＶＨＴ−ＳＩＧ−Ｂフィールド３２４のパイロットマッピングは、現在、未解決の問題である。ある態様に対して、ＶＨＴ−ＳＩＧ−Ｂフィールド３２４は、単一のストリームのパイロットを使用してもよい。ＶＨＴ−ＳＩＧ−Ｂフィールド３２４は、データ部分（すなわち、ＤＡＴＡシンボル）中で使用されるものと同じパイロットを使用してもよく、ＶＨＴ−ＳＩＧ−Ｂに対してＤＡＴＡシンボル番号０を使用してもよい。これは、（例えば、スクランブルするために、ゼロ位相シフトを使用するために）第１のＤＡＴＡシンボルおよびＶＨＴ−ＳＩＧ−Ｂの双方が、ＤＡＴＡシンボル番号０を使用することを意味する。パイロットスクランブリングシーケンスは、Ｌ−ＳＩＧフィールド３１０において、値０によって開始してもよく、そのため、ＶＨＴ−ＳＩＧ−Ｂフィールド３２４は、パイロットシーケンス番号３（パイロットスクランブリングパターンが、ＶＨＴ−ＳＴＦシンボルおよびＶＨＴ−ＬＴＦシンボルに適用されないと仮定すると、Ｌ−ＳＩＧ、ＶＨＴ−ＳＩＧ−Ａ１、ＶＨＴ−ＳＩＧ−Ａ２、そして、ＶＨＴ−ＳＩＧ−Ｂ）を有してもよい。
【００６３】
長さフィールド
有効なデータの長さを示す、ＶＨＴ−ＳＩＧ−Ｂフィールド中のフィールド（または、より適切には、サブフィールド）もまた、未解決の問題として残っている。この長さ（または、持続時間）フィールドは、ＳＴＡ当たりのベース（すなわち、ユーザ当たりの長さ）で表されてもよい。このようなユーザ当たりの長さでは、いったん、ユーザ当たりの長さに達すると、デコーディングを止めることによって、電力セービングが達成されてもよい。ユーザ当たりの長さはまた、集約ＭＡＣプロトコルデータユニット（Ａ−ＭＰＤＵ）制限を除去してもよく、ＭＡＣフレームパディングではなく、ＩＥＥＥ８０２．１１ｎにおけるような物理レイヤ（ＰＨＹ）パディングの使用を可能にしてもよい。
【００６４】
ＶＨＴ−ＳＩＧ−Ｂフィールド３２４に対するいくつかの初期の提案は、１０ビットのユーザ当たりのシンボル持続時間フィールドを有していた。１０ビットのユーザ当たりのシンボル持続時間フィールドは、長ＧＩのために、４ｍｓを超える最大パケット持続時間をカバーしていた。これらの初期の提案のための２６ビットのＶＨＴ−ＳＩＧ−Ｂフィールド中の他のフィールドは、４ビットのＭＣＳインデックスと、４ビットのＣＲＣ（現在はサービスフィールド４０６に移動している）と、６個のテールビットと、１個の集約ビットと、１個のコーディングビットとを含んでいた。しかしながら、１０ビットの持続時間フィールドは、シンボル当たりの最大数のバイトに対して十分に長くないかもしれない。例えば、２５６ＱＡＭおよび５／６のコーディングレートによって変調された、１６０ＭＨｚの最高レートモードは、シンボル当たり３１２０バイトを必要とし、これは、少なくとも１２ビット（２12＝４０９６）を示す。したがって、１つのオプションは、サービスフィールド４０６を使用して、データ部分３２６中の有効なデータの長さを示すことである。
【００６５】
例示的なサービスフィールドのフォーマット
ＶＨＴ−ＳＩＧ−Ｂフィールド３２４ではなく、サービスフィールド４０６を使用して、データ部分３２６中の有効なデータの長さを示すためのさまざまなオプションを、以下に提示する。
【００６６】
第１のオプションのようなある態様に対して、サービスフィールド４０６は、２バイトのデータフィールドとして残っている。１６ビットのうち、１２ビットを使用して、有効なデータの長さを示してもよく、スクランブラの初期化のために４ビットを使用してもよい。スクランブラが７ビットを使用することから、最後の３ビットは、常に、すべてゼロのような、ある値であるように、指定されてもよい。サービスフィールド４０６の４個のスクランブラ初期化ビットは、３個の固定ビットと組み合わされて、スクランブラの初期化パターンが形成されてもよい。これは、１５個の異なるスクランブリングパターンを残し、これで十分である。
【００６７】
第２のオプションのような他の態様に対して、サービスフィールドが、３バイト（２４ビット）に拡張されてもよい。３バイトでは、サービスフィールド４０６は、スクランブラの初期化のための７ビットと、最後のシンボル中のバイトの数を表すための（すなわち、有効なデータの長さを示すための）１２ビットと、４ビットのＣＲＣと、１個の予約ビットとを含んでもよい。
【００６８】
第３のオプションのような他の態様に対して、サービスフィールド４０６は、３バイトに拡張されてもよい。２４ビットでは、サービスフィールドは、スクランブラの初期化のための７ビットと、バイトの総数を表すための（すなわち、有効なデータの長さを示すための）１７ビットとを含んでもよい。このケースでは、ＶＨＴ−ＳＩＧ−Ｂフィールド３２４が、プリアンブル中で使用される必要も、プリアンブル中に含まれる必要もない。
【００６９】
第４のオプションのような他の態様に対して、サービスフィールド４０６は、４バイト（３２ビット）に拡張されてもよい。４バイトでは、サービスフィールドは、スクランブラの初期化のための６ビット（７番目のビットは、常に０のような固定値であると理解される）と、バイトの総数を表すための（すなわち、有効なデータの長さを示すための）１８ビットと、８ビットのＣＲＣとを含んでもよい。
【００７０】
第５のオプションのような他の態様に対して、サービスフィールドは、４バイトに拡張されてもよい。３２ビットでは、サービスフィールド４０６は、スクランブラの初期化のための４ビット（最後の３個のビットは、常に０００のような固定値であると理解される）と、バイトの総数を表すための（すなわち、有効なデータの長さを示すための）２０ビットと、８ビットのＣＲＣとを含んでもよい。
【００７１】
例示的な２４ビットのＶＨＴ−ＳＩＧ−Ｂフィールドのフォーマット
ＶＨＴ−ＳＩＧ−Ｂフィールド３２４が、２０ＭＨｚモードでは２４ビットを含んでいる場合に（例えば、ＶＨＴ−ＳＩＧ−Ｂ中のサブキャリアの数が、ＶＨＴ−ＳＩＧ−Ａのサブキャリアの数に等しいときに）、ＶＨＴ−ＳＩＧ−Ｂに対するさまざまな適切なフォーマットがある。例えば、ＶＨＴ−ＳＩＧ−Ｂフィールドは、総数２４ビットに対して、有効なデータの長さを示す９ビットの持続時間フィールドと、４ビットのＭＣＳインデックスと、４ビットのＣＲＣと、６個のテールビットと、１個のコーディングビットとを含んでもよい。しかしながら、先に説明したように、９ビットの持続時間フィールドは、シンボルの数として有効なデータの長さを表すには短すぎる。
【００７２】
したがって、１つのオプションは、９ビットの持続時間フィールドを使用して、５１２バイトのブロックの数を表すことである。これは、以下のものに等しい。
【数１】
2013534085.tif 000003
【００７３】
ここで、Ｌは、バイトでの長さであり、以下のものは天井関数である。
【数２】
2013534085.tif 000004
【００７４】
これに合わせて、サービスフィールド４０６中の９ビットを使用して、２４ビットのＶＨＴ−ＳＩＧ−Ｂフィールドによって表わされている、１〜５１２バイトの、最後のブロック中のバイトの数を示してもよい。サービスフィールドのビットは、以下のいずれかをシグナリングしてもよい。
【数３】
2013534085.tif 000005
【００７５】
（すなわち、最後のブロック中の欠落したバイトの数）、または、
【数４】
2013534085.tif 000006
【００７６】
（すなわち、最後のブロック中のバイトの数であり、ここで、以下のものは床関数である。）
【数５】
2013534085.tif 000007
【００７７】
以前の例は、ユーザ当たりの総長が１８ビット（ＶＨＴ−ＳＩＧ−Ｂフィールドからの９ビットと、サービスフィールド４０６からの９ビット）までであってもよいことを仮定していた。しかしながら、ＶＨＴ−ＳＩＧ−Ｂ中の長さサブフィールドに対して１０ビットが利用可能である場合に（例えば、コーディングビットが使用されない場合に）、ＶＨＴ−ＳＩＧ−Ｂ長さサブフィールドは、以下のものをシグナリングしてもよい。
【数６】
2013534085.tif 000008
【００７８】
これに合わせて、サービスフィールド中の８ビットを使用して、最後のブロック中のバイトの数を示してもよい。最後のブロック中のバイトの数は、以下のように示される。
【数７】
2013534085.tif 000009
【００７９】
他の態様に対して、１６ビットの長さフィールドのみが所望されている場合に、ＶＨＴ−ＳＩＧ−Ｂ長さサブフィールドは、８ビットのみを使用して、以下のものをシグナリングしてもよい。
【数８】
2013534085.tif 000010
【００８０】
このケースでは、サービスフィールド４０６中の８ビットを使用して、最後のブロック中のバイトの数を示してもよい。最後のブロック中のバイトの数は、以下のように示される。
【数９】
2013534085.tif 000011
【００８１】
対応する機能を実行することが可能な何らかの適切な手段により、先に説明した方法のさまざまな動作を実行してもよい。手段は、これらに限定されないが、回路、特定用途向け集積回路（ＡＳＩＣ）、または、プロセッサを含む、さまざまなハードウェアならびに／あるいはソフトウェアのコンポーネントおよび／またはモジュールを含んでもよい。一般的に、図面中で図示されている動作がある場合に、これらの動作は、類似するナンバリングを持つ、対応する相当のミーンズプラスファンクションコンポーネントを有していてもよい。例えば、図５において説明されている動作５００は、図５Ａにおいて説明されている手段５００Ａに対応している。
【００８２】
例示的な手段として、送信する手段は、図２において図示されているアクセスポイント１１０の送信機２２２のような、トランシーバまたは送信機を含んでもよい。受信する手段は、図２において描写されているユーザ端末１２０の受信機ユニット２５４のような、トランシーバまたは受信機を含んでもよい。発生させる手段、処理する手段、または、決定する手段は、図２において図示されているアクセスポイント１１０のＴＸデータプロセッサ２１０、スケジューラ２３４、および／または、制御装置２３０のような、１つ以上のプロセッサを含んでもよい、処理システムを含んでもよい。デコードする手段、処理する手段、または、決定する手段は、図２において図示されているユーザ端末１２０のＲＸデータプロセッサ２７０、および／または、制御装置２８０のような、１つ以上のプロセッサを含んでもよい、処理システムを含んでもよい。
【００８３】
ここで使用したような、“決定する”という用語は、幅広いさまざまなアクションを含んでいる。例えば、“決定する”は、算出する、計算する、処理する、導出する、調べる、検索する（例えば、表、データベース、または、別のデータ構造中で検索する）、確認する、および、これらに類するものを含んでもよい。また、“決定する”は、受信する（例えば、情報を受信する）、アクセスする（例えば、メモリ中のデータにアクセスする）、および、これらに類するものを含んでもよい。さらに、“決定する”は、解決する、選択する、選ぶ、確立する、および、これらに類するものを含んでもよい。
【００８４】
ここで使用したような、アイテムのリスト“のうちの少なくとも１つ”を指すフレーズは、単一のメンバーを含む、これらのアイテムの何らかの組み合わせのことを指す。例として、“ａ、ｂ、または、ｃのうちの少なくとも１つ”は、ａ、ｂ、ｃ、ａ−ｂ、ａ−ｃ、ｂ−ｃ、および、ａ−ｂ−ｃをカバーすることを意図している。
【００８５】
本開示に関連して説明した、さまざまな例示的な論理ブロック、モジュールおよび回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス（ＰＬＤ）、ディスクリートゲートまたはトランジスタ論理、ディスクリートハードウェアコンポーネント、あるいは、ここで説明した機能を実行するために設計されたこれらの何らかの組み合わせで、実現あるいは実行されてもよい。汎用プロセッサは、マイクロプロセッサであってもよいが、代替実施形態では、プロセッサは、何らかの商業的に入手可能なプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このようなコンフィギュレーションの他の何らかのものとして実現されてもよい。
【００８６】
本開示に関連して説明した方法またはアルゴリズムのステップは、直接、ハードウェアで、プロセッサにより実行されるソフトウェアモジュールで、あるいは、２つの組み合わせで、具現化されてもよい。ソフトウェアモジュールは、技術的に知られている何らかの形態の記憶媒体中に存在していてもよい。使用してもよい記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等を含む。ソフトウェアモジュールは、単一の命令または多くの命令を含んでもよく、いくつかの異なるコードセグメントを通して、異なるプログラム間で、および、複数の記憶媒体にわたって、分散されてもよい。記憶媒体は、プロセッサが記憶媒体から情報を読み取り、記憶媒体に情報を書き込むことができるように、プロセッサに結合されていてもよい。代替実施形態では、記憶媒体は、プロセッサに一体化していてもよい。
【００８７】
ここで開示した方法は、説明した方法を達成するための１つ以上のステップまたはアクションを含む。方法のステップおよび／またはアクションは、特許請求の範囲から逸脱することなく、互いに交換可能であってもよい。言い換えると、ステップまたはアクションの特定の順序が特定されていない限り、特定のステップおよび／またはアクションの順序ならびに／あるいは使用は、特許請求の範囲から逸脱することなく、修正されてもよい。
【００８８】
説明した機能は、ハードウェアで、ソフトウェアで、ファームウェアで、または、これらの何らかの組み合わせで実現されてもよい。ソフトウェアで実現された場合、例示的なハードウェアコンフィギュレーションは、ワイヤレスノード中の処理システムを含んでもよい。処理システムは、バスアーキテクチャによって実現されてもよい。バスは、処理システムの特定の応用および設計全体の制約に依存して、任意の数の相互接続するバスおよびブリッジを含んでもよい。バスは、プロセッサ、機械読取可能媒体、および、バスインターフェースを含むさまざまな回路を共にリンクしてもよい。バスインターフェースを使用して、バスを介して、とりわけ、ネットワークアダプタを、処理システムに接続してもよい。ネットワークアダプタを使用して、ＰＨＹレイヤの信号処理機能を実現してもよい。ユーザ端末１２０のケースでは（図１参照）、ユーザインターフェース（例えば、キーパッド、ディスプレイ、マウス、ジョイスティック等）もまた、バスに接続されてもよい。バスは、タイミングソース、周辺機器、電圧レギュレータ、電力管理回路、および、これらに類するもののような、他のさまざまな回路もリンクしてもよいが、これらは、技術的によく知られているため、これ以上説明しない。
【００８９】
プロセッサ１０４は、バスの管理と、機械読取可能媒体上に記憶されているソフトウェアの実行を含む汎用処理とを担っていてもよい。プロセッサは、１つ以上の汎用プロセッサおよび／または特殊目的プロセッサによって実現されてもよい。例は、マイクロプロセッサ、マイクロ制御装置、ＤＳＰプロセッサ、および、ソフトウェアを実行できる他の回路を含む。ソフトウェア、ファームウェア、ミドルウェア、マイクロコード、ハードウェア記述言語、または、その他のものと呼ばれるか否かにかかわらず、ソフトウェアは、命令、データ、または、これらの何らかの組み合わせを意味するように広く解釈すべきである。機械読取可能媒体は、一例として、ＲＡＭ（ランダムアクセスメモリ）、フラッシュメモリ、ＲＯＭ（リードオンリーメモリ）、ＰＲＯＭ（プログラム可能リードオンリーメモリ）、ＥＰＲＯＭ（消去可能プログラム可能リードオンリーメモリ）、ＥＥＰＲＯＭ（電気的に消去可能プログラム可能リードオンリーメモリ）、レジスタ、磁気ディスク、光ディスク、ハードドライブ、または、他の何らかの適切な記憶媒体、あるいは、これらの何らかの組み合わせを含んでもよい。機械読取可能媒体は、コンピュータプログラムプロダクト中で具現化されてもよい。コンピュータプログラムプロダクトは、パッケージングマテリアルを含んでもよい。
【００９０】
ハードウェア構成では、機械読取可能媒体は、プロセッサから分離された処理システムの一部であってもよい。しかしながら、当業者が容易に正しく認識するように、機械読取可能媒体またはその何らかの一部は、処理システムの外部にあってもよい。一例として、機械読取可能媒体は、伝送路、データによって変調された搬送波、および／または、ワイヤレスノードから分離されたコンピュータプロダクトを含んでもよく、バスインターフェースを通してプロセッサによってこれらすべてにアクセスしてもよい。代替的に、または、加えて、機械読取可能媒体またはその一部が、プロセッサ中に統合されてもよく、例えば、キャッシュおよび／または汎用レジスタファイルがそうである。
【００９１】
処理システムは、プロセッサ機能性を提供する１つ以上のマイクロプロセッサと、機械読取可能媒体の少なくとも一部を提供する外部メモリとを持ち、すべてが外部バスアーキテクチャを通して他の支援回路と共にリンクされている、汎用処理システムとして構成されてもよい。代替的に、処理システムは、プロセッサと、バスインターフェースと、（アクセス端末のケースでは）ユーザ端末と、支援回路と、単一のチップ中に統合されている機械読取可能媒体の少なくとも一部とを持つＡＳＩＣ（特定用途向け集積回路）によって実現されてもよく、あるいは、１つ以上のＦＰＧＡ（フィールドプログラム可能ゲートアレイ）、ＰＬＤ（プログラム可能論理デバイス）、制御装置、状態機械、ゲート論理、ディスクリートハードウェアコンポーネント、または、他の何らかの適切な回路、もしくは、本開示全体を通して説明したさまざまな機能性を実行できる回路の何らかの組み合わせによって、実現されてもよい。当業者は、特定の応用およびシステム全体に課せられた設計全体の制約に依存して、処理システムに対する説明した機能性を実現するための最良の方法を認識するだろう。
【００９２】
機械読取可能媒体は、多数のソフトウェアモジュールを含んでもよい。ソフトウェアモジュールは、プロセッサによって実行されるときに、さまざまな機能を処理システムに実行させる命令を含む。ソフトウェアモジュールは、送信モジュールおよび受信モジュールを含んでもよい。各ソフトウェアモジュールは、単一の記憶デバイス中に存在してもよく、または、複数の記憶デバイスにわたって分散されていてもよい。一例として、ソフトウェアモジュールは、トリガイベントが起こったときに、ハードドライブからＲＡＭにロードされてもよい。ソフトウェアモジュールの実行の間、プロセッサは、アクセススピードを増加させるために、命令のうちのいくつかをキャッシュにロードしてもよい。その後、１つ以上のキャッシュラインが、プロセッサによる実行のために汎用レジスタファイルにロードされてもよい。以下のソフトウェアモジュールの機能性に言及するときに、このような機能性は、そのソフトウェアモジュールからの命令を実行するときにプロセッサによって実現されることが理解されるだろう。
【００９３】
ソフトウェアで実現される場合に、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによってアクセスできる何らかの利用可能な媒体であってもよい。一例として、これらに限定されないが、このようなコンピュータ読取可能媒体は、ＲＡＭ、ＲＯＭ、ＥＥＰＲＯＭ、ＣＤ−ＲＯＭ、または、他の光ディスク記憶装置、磁気ディスク記憶装置、あるいは、コンピュータによってアクセスでき、命令またはデータ構造の形態で、所望のプログラムコードを搬送または記憶するために使用できる他の何らかの媒体を含むことができる。また、あらゆる接続は、コンピュータ読取可能媒体と適切に呼ばれる。例えば、同軸ケーブル、光ファイバケーブル、撚り対、デジタル加入者線（ＤＳＬ）、あるいは、赤外線（ＩＲ）、無線、およびマイクロ波のようなワイヤレス技術を使用しているウェブサイト、サーバ、または、他の遠隔ソースから、ソフトウェアが送信される場合には、同軸ケーブル、光ファイバケーブル、撚り対、ＤＳＬ、あるいは、赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。したがって、ある態様では、コンピュータ読取可能媒体は、一時的でないコンピュータ読取可能媒体（例えば、有体的媒体）を含んでもよい。加えて、他の態様に対して、コンピュータ読取可能媒体は、一時的なコンピュータ読取可能媒体（例えば、信号）を含んでもよい。先のものを組み合わせたものもまた、コンピュータ読取可能媒体の範囲内に含められるべきである。
【００９４】
したがって、ある態様は、ここで提示した動作を実行するためのコンピュータプログラムプロダクトを含んでもよい。例えば、このようなコンピュータプログラムプロダクトは、その上に命令を記憶（および／または、エンコード）させるコンピュータ読取可能媒体を具備してもよく、命令は、ここで説明した動作を実行するために１つ以上のプロセッサによって実行可能である。ある態様に対して、コンピュータプログラムプロダクトは、パッケージングマテリアルを含んでもよい。
【００９５】
さらに、モジュールおよび／またはここで説明した方法および技術を実行する他の適切な手段を、ユーザ端末および／または基地局によって、適宜、ダウンロードできるか、および／または、そうでなければ取得できる。例えば、ここで説明した方法を実行する手段の転送を促進するために、このようなデバイスをサーバに結合できる。代替的に、デバイスに記憶装置手段を結合するときに、または、デバイスに記憶装置手段を提供するときに、ユーザ端末および／または基地局がさまざまな方法を取得できるように、ここで説明したさまざまな方法は、記憶装置手段（例えば、ＲＡＭ、ＲＯＭ、コンパクトディスク（ＣＤ）またはフロッピーディスクのような物理記憶媒体等）を介して提供できる。さらに、ここで説明した方法および技術をデバイスに提供するための他の何らかの適切な技術を利用できる。
【００９６】
特許請求の範囲は、先に示したまさにそのコンフィギュレーションおよびコンポーネントに限定されるものではないことを理解すべきである。さまざまな修正、変更、および、バリエーションが、先に説明した方法ならびに装置の構成、運用、および、詳細において、特許請求の範囲から逸脱することなく行われてもよい。
【図１】
2013534085.tif 000012
【図２】
2013534085.tif 000013
【図３】
2013534085.tif 000014
【図４】
2013534085.tif 000015
【図５】
2013534085.tif 000016
【図５Ａ】
2013534085.tif 000017
【図６】
2013534085.tif 000018
【図６Ａ】
2013534085.tif 000019
【図７】
2013534085.tif 000020
【図７Ａ】
2013534085.tif 000021
【図８】
2013534085.tif 000022
【図８Ａ】
2013534085.tif 000023
【図９】
2013534085.tif 000024
【国際調査報告】
2013534085.tif 000025
2013534085.tif 000026
2013534085.tif 000027